(57)【要約】  第１クラッチを直結係合しつつ第２クラッチを解放した状態でエンジンを駆動して発電制御を行っている停車中から、発進要求を検出したことに基づき発電制御を中断した後、第２クラッチを解放した状態からスリップ係合状態となるように制御すると共に第１クラッチを係合状態からスリップ係合状態となるように制御し、かつモータ目標回転数（Ｎｍｔｇ）を低下させる。これにより、第２クラッチに負荷をかけることの防止を図ることができ、第２クラッチの耐久性の向上を図ることができる。また、発進要求を検出したことに基づき、第２クラッチを解放した状態からスリップ係合状態となるように制御すると共に第１クラッチを係合状態からスリップ係合状態となるように制御するので、レスポンス良い車両の発進を可能にすることができ、ヘジテーションの緩和を図ることができる。
2014051107.tif 000002
【特許請求の範囲】
【請求項１】
エンジンから車輪までの動力伝達経路上に、前記エンジンの側から順に、第１クラッチ、回転電機、第２クラッチが配設されたハイブリッド車両に用いられ、
発進要求を検出したことに基づき、前記ハイブリッド車両を発進させるハイブリッド車両の制御装置において、
前記発進要求を検出したことに基づき、前記第１クラッチの係合状態を制御する第１クラッチ制御手段と、
前記発進要求を検出したことに基づき、前記第２クラッチの係合状態を制御する第２クラッチ制御手段と、
前記発進要求を検出したことに基づき、前記回転電機の回転速度が目標の回転速度となるように前記回転電機を回転速度制御する回転電機制御手段と、を備え、
前記第１クラッチを直結係合しつつ前記第２クラッチを解放した状態で前記エンジンを駆動して発電制御を行っている停車中から、前記発進要求を検出したことに基づき前記発電制御を中断した後、前記第２クラッチ制御手段により前記第２クラッチを解放した状態からスリップ係合状態となるように制御すると共に前記第１クラッチ制御手段により前記第１クラッチを係合状態からスリップ係合状態となるように制御し、かつ前記回転電機制御手段により前記目標の回転速度を低下させる、
ことを特徴とするハイブリッド車両の制御装置。
【請求項２】
前記ハイブリッド車両は、前記エンジンの回転によって発電して補機に電力を供給可能なオルタネータを有し、
前記発進要求を検出したことに基づき、前記エンジンを駆動させて前記オルタネータによる発電を行いながら、前記回転電機制御手段により前記目標の回転速度を低下させる、
ことを特徴とする請求項１記載のハイブリッド車両の制御装置。
【請求項３】
前記回転電機制御手段は、前記目標の回転速度を低下させる際、前記目標の回転速度を第１の所定勾配で低下させた後、前記第１の所定勾配よりも緩い第２の所定勾配で低下させる、
ことを特徴とする請求項１または２記載のハイブリッド車両の制御装置。
【請求項４】
前記第２クラッチ制御手段は、前記回転電機の回転速度が前記変速機構の変速比と出力回転速度とを乗算した回転速度に対して所定回転速度差以内となった際に、前記第２クラッチを直結係合状態に移行する、
ことを特徴とする請求項１ないし３のいずれか記載のハイブリッド車両の制御装置。
【請求項５】
運転者の要求駆動力を算出する要求駆動力算出手段を備え、
前記第２クラッチ制御手段は、前記回転電機の回転速度制御の実行中に前記第２クラッチが前記要求駆動力を伝達するトルク容量となるように、前記第２クラッチを制御する、
ことを特徴とする請求項１ないし４のいずれか記載のハイブリッド車両の制御装置。
【請求項６】
前記回転電機制御手段は、前記第１クラッチのスリップ係合状態を判定するまで、前記エンジンの回転速度と異なる所定回転速度になるように前記回転速度制御を実行する、
ことを特徴とする請求項１ないし５のいずれか記載のハイブリッド車両の制御装置。
【請求項７】
前記回転電機制御手段は、回転電機回転速度センサにより検出される前記回転電機の回転速度とエンジン回転速度センサにより検出される前記エンジンの回転速度との回転速度差に基づいて前記第１クラッチのスリップ係合状態を判定する、
ことを特徴とする請求項１ないし６のいずれか記載のハイブリッド車両の制御装置。
【請求項８】
前記回転電機制御手段は、前記回転電機の回転速度が前記変速機構の変速比と前記出力回転速度とを乗算した回転速度に対して所定回転速度差以内になると、前記回転速度制御を終了して回転電機の出力トルクが目標のトルクとなるように回転電機を制御するトルク制御を開始する、
ことを特徴とする請求項１ないし７のいずれか記載のハイブリッド車両の制御装置。
【請求項９】
前記回転電機制御手段は、前記トルク制御を開始してから第１の所定時間の間、前記回転速度制御の終了時の回転電機の出力トルクから前記回転電機の回転速度の変化に必要なトルクを減算した値を前記目標のトルクとする、
ことを特徴とする請求項８記載のハイブリッド車両の制御装置。
【請求項１０】
前記発電制御を中断してからの経過時間を計時するタイマ手段と、
前記タイマ手段により計時された時間が第２の所定時間に達しても、回転電機回転速度センサにより検出される前記回転電機の回転速度とエンジン回転速度センサにより検出される前記エンジンの回転速度との回転速度差が検出されない場合に、前記第１クラッチのスリップを強制的に発生させる強制スリップ制御を実行する強制スリップ手段と、を備えた、
ことを特徴とする請求項１ないし９のいずれか記載のハイブリッド車両の制御装置。
【請求項１１】
前記強制スリップ手段は、前記回転電機制御手段に指令して、前記回転電機の回転速度を前記エンジンの回転速度よりも低い回転速度になるように制御することで、前記強制スリップ制御を実行する、
ことを特徴とする請求項１０記載のハイブリッド車両の制御装置。
【請求項１２】
前記エンジンの回転速度を制御するエンジン制御手段を備え、
前記強制スリップ手段は、前記エンジン制御手段に指令して、前記エンジンの回転速度を前記回転電機の回転速度よりも高い回転速度になるように制御することで、前記強制スリップ制御を実行する、
ことを特徴とする請求項１０または１１記載のハイブリッド車両の制御装置。
【請求項１３】
前記回転電機制御手段は、前記第１クラッチのスリップ開始までのアクセル開度が大きいほど、前記目標の回転速度を低下させる勾配が大きくなるように前記回転速度制御を実行する、
ことを特徴とする請求項１ないし１２のいずれか記載のハイブリッド車両の制御装置。
【発明の詳細な説明】
【技術分野】
【０００１】
本発明は、エンジンから車輪までの動力伝達経路上に、エンジンの側から順に、第１クラッチ、回転電機、第２クラッチが配設されたハイブリッド車両の制御装置に係り、詳しくは、エンジンにより回転電機を駆動する発電制御中に発進要求を検出した際に、発電制御を中断して車両を発進させるハイブリッド車両の制御装置に関する。
【背景技術】
【０００２】
近年、エンジンと、モータ・ジェネレータ（以下、単に「モータ」という）と、エンジンとモータとの間に介在されたエンジン接続用クラッチと、エンジンやモータと車輪との動力伝達を接続・切断し得るクラッチを有する変速機構と、を備えた、いわゆる１モータパラレル式のハイブリッド車両の開発が進められている（例えば特許文献１、特許文献２参照）。【０００３】
ところで、上述のような１モータパラレル式のハイブリッド車両において、停車中にバッテリ残量が少なくなると、変速機構のクラッチによる動力伝達を切断した状態で、エンジン接続用クラッチを接続してモータをエンジンにより回転駆動することで発電を行っている。【０００４】
特許文献１のハイブリッド車両では、このような停車中の発電中に、例えば運転者によるブレーキＯＦＦやアクセルＯＮ等の操作により、車両の発進要求を検出した場合に、エンジン接続用クラッチを解放すると共に、例えば変速機構のクラッチをスリップさせつつモータの駆動力により発進し、つまりＥＶ走行によりレスポンス良く車両を発進させることを可能としている。【０００５】
しかしながら、特許文献１のような発進手法では、バッテリ残量が少ない場合にＥＶ走行による車両の発進は行えないという問題がある。ＥＶ走行による車両の発進が行えない場合は、一旦、エンジン接続用クラッチを解放し、変速機構のクラッチを係合させた後、さらにエンジン接続用クラッチをスリップ係合させながらエンジンの駆動力により発進させることになるので、運転者の発進要求（ブレーキＯＦＦやアクセルＯＮ等）があってから、実際に車両が発進するまでに時間がかかり、いわゆるヘジテーションのような感覚を運転者に与えてしまう。【０００６】
一方、特許文献２のハイブリッド車両では、このような停車中の発電中に、例えば運転者によるブレーキＯＦＦやアクセルＯＮ等の操作により、車両の発進要求を検出した場合に、エンジン接続用クラッチをスリップ係合状態にすると共に、例えば変速機構のクラッチをスリップさせつつエンジンの駆動力により発進し、つまりエンジンの駆動力によりレスポンス良く車両を発進させることを可能としている。
【先行技術文献】
【特許文献】
【０００７】
【特許文献１】特開２００７−３１４０９７号公報
【特許文献２】国際公開第２０１１／１２５７７５号
【発明の概要】
【発明が解決しようとする課題】
【０００８】
しかしながら、特許文献２のハイブリッド車両においては、例えば補機類（ヘッドライト、エアコン等）に対する電力供給を維持するために、発電制御を実行したまま車両の発進を行っているため、発進要求を検出してからモータの回転速度を低下させているものの、該モータの回転速度を発電が可能な程度の速度に維持する必要があり、変速機構のクラッチをスリップ係合状態にして車両を発進させる際は、該変速機構のクラッチに負荷がかかり、該クラッチの耐久性として好ましくないという問題があった。【０００９】
そこで本発明は、車両停車中の発電制御を行っている状態から、発進要求を検出したことに基づき、ハイブリッド車両を発進させるものにあって、第２クラッチの耐久性を確保しつつ、発進要求から車両発進までのレスポンスを向上し、ヘジテーションの緩和を図ることが可能なハイブリッド車両の制御装置を提供することを目的とするものである。
【課題を解決するための手段】
【００１０】
本発明は（例えば図１乃至図９参照）、エンジン（２）から車輪（６）までの動力伝達経路上に、前記エンジン（２）の側から順に、第１クラッチ（ＳＳＣ）、回転電機（４）、第２クラッチ（Ｃ１）が配設されたハイブリッド車両（１００）に用いられ、
発進要求を検出したことに基づき、前記ハイブリッド車両（１００）を発進させるハイブリッド車両の制御装置（１）において、
前記発進要求を検出したことに基づき、前記第１クラッチ（ＳＳＣ）の係合状態を制御する第１クラッチ制御手段（２２）と、
前記発進要求を検出したことに基づき、前記第２クラッチ（Ｃ１）の係合状態を制御する第２クラッチ制御手段（２５）と、
前記発進要求を検出したことに基づき、前記回転電機（４）の回転速度（Ｎｍ）が目標の回転速度（Ｎｍｔｇ）となるように前記回転電機（４）を回転速度制御する回転電機制御手段（２３）と、を備え、
前記第１クラッチ（ＳＳＣ）を直結係合しつつ前記第２クラッチ（Ｃ１）を解放した状態で前記エンジン（２）を駆動して発電制御を行っている停車中から、前記発進要求を検出したことに基づき前記発電制御を中断した後、前記第２クラッチ制御手段（２５）により前記第２クラッチ（Ｃ１）を解放した状態からスリップ係合状態となるように制御すると共に前記第１クラッチ制御手段（２２）により前記第１クラッチ（ＳＳＣ）を係合状態からスリップ係合状態となるように制御し、かつ前記回転電機制御手段（２３）により前記目標の回転速度を低下させることを特徴とする。【００１１】
これにより、ハイブリッド車両の発進時にあって、発電制御を中断して、回転電機の回転速度を低下させた状態で、第２クラッチを解放した状態からスリップ係合状態となるように制御すると共に第１クラッチを係合状態からスリップ係合状態となるように制御することができるので、第２クラッチに負荷をかけることの防止を図ることができ、第２クラッチの耐久性の向上を図ることができる。また、発電制御を中断して回転電機の回転速度を低下させるので、回転電機の回転速度を、変速機構の第２クラッチのスリップで調整する必要がなくなり、回転速度調整が不要になる分のレスポンスの向上を図ることができる。さらに、発進要求を検出したことに基づき、第２クラッチを解放した状態からスリップ係合状態となるように制御すると共に第１クラッチを係合状態からスリップ係合状態となるように制御するので、レスポンス良い車両の発進を可能にすることができ、ヘジテーションの緩和を図ることができる。【００１２】
また、本発明は（例えば図１乃至図９参照）、前記ハイブリッド車両（１００）は、前記エンジン（２）の回転によって発電して補機に電力を供給可能なオルタネータ（５０）を有し、
前記発進要求を検出したことに基づき、前記エンジン（２）を駆動させて前記オルタネータ（５０）による発電を行いながら、前記回転電機制御手段（２３）により前記目標の回転速度を低下させることを特徴とする。【００１３】
これにより、発進時にあってオルタネータにより発電を行うので、回転電機による発電を中断することを可能とすることができ、つまり回転電機の目標の回転速度を低下させることを可能とすることができる。【００１４】
また、本発明は（例えば図１乃至図９参照）、前記回転電機制御手段（２３）は、前記目標の回転速度を低下させる際、前記目標の回転速度（Ｎｍｔｇ）を第１の所定勾配で低下させた後、前記第１の所定勾配よりも緩い第２の所定勾配で低下させることを特徴とする。【００１５】
これにより、急勾配である第１の所定勾配で回転電機の回転速度を低下させることができるので、スリップ係合状態にする第２クラッチの負荷をさらに低減することができる。また、例えば回転電機の回転速度が第２クラッチの出力側の回転速度と同期してしまうと、第２クラッチの係合状態を検出することができなくなるが、緩勾配である第２の所定勾配で回転電機の回転速度を低下させることで、第２クラッチに負荷をかけず、かつ第２クラッチのスリップ係合状態の制御性を確保することができる。【００１６】
また、本発明は（例えば図１乃至図９参照）、前記第２クラッチ制御手段（２５）は、前記回転電機（４）の回転速度（Ｎｍ）が前記変速機構（５）の変速比と出力回転速度（Ｎｏｕｔ）とを乗算した回転速度（Ｎｓ）に対して所定回転速度差（ｄ２）以内となった際に、前記第２クラッチ（Ｃ１）を直結係合状態に移行することを特徴とする。【００１７】
また、回転電機制御手段が、第１クラッチのスリップ係合を判定してから、回転電機の回転数が変速機構の変速比と出力回転数とを乗算した回転数に対して所定回転数以内になるまで、設定勾配で回転電機の回転数が下降するように回転速度制御を実行するので、レスポンス良く回転電機と車輪との回転同期を図ることができ、ヘジテーションの緩和を図り、かつ滑らかな発進を可能とすることができる。【００１８】
また、本発明は（例えば図１乃至図９参照）、運転者の要求駆動力（Ｔｒｅｑ）を算出する要求駆動力算出手段（２８）を備え、
前記第２クラッチ制御手段（２５）は、前記回転電機（４）の回転速度制御の実行中に前記第２クラッチ（Ｃ１）が前記要求駆動力（Ｔｒｅｑ）を伝達するトルク容量となるように、前記第２クラッチ（Ｃ１）を制御することを特徴とする。【００１９】
これにより、回転速度制御された回転電機から運転者の要求駆動力以上の駆動力が出力されたとしても、回転電機と車輪との回転速度の同期が図られるまで、車両の出力駆動力を運転者の要求駆動力に合わせることができる。【００２０】
また、本発明は（例えば図１乃至図９参照）、前記回転電機制御手段（２３）は、前記第１クラッチ（ＳＳＣ）のスリップ係合状態を判定するまで、前記エンジン（２）の回転速度（Ｎｅ）と異なる所定回転速度（例えばＮｉ＋ｄ１）になるように前記回転速度制御を実行することを特徴とする。【００２１】
これにより、第１クラッチの入力側と出力側とに異なる回転速度を与えて、第１クラッチのスリップを促進することができる。また、第１クラッチがスリップした際に、エンジンと回転電機とが異なる回転速度になるので、第１クラッチのスリップの検出を容易にすることができる。【００２２】
さらに、本発明は（例えば図１乃至図９参照）、前記回転電機制御手段（２３）は、回転電機回転速度センサ（４２）により検出される前記回転電機（４）の回転速度（Ｎｍ）とエンジン回転速度センサ（４１）により検出される前記エンジン（２）の回転速度（Ｎｅ）との回転速度差（ｄ１）に基づいて前記第１クラッチ（ＳＳＣ）のスリップ状態を判定することを特徴とする。【００２３】
これにより、回転電機制御手段は、回転電機回転速度センサにより検出される回転電機の回転速度とエンジン回転速度センサにより検出されるエンジンの回転速度との回転速度差に基づいて第１クラッチのスリップを判定することを可能とすることができる。【００２４】
また、本発明は（例えば図１乃至図９参照）、前記回転電機制御手段（２３）は、前記回転電機（４）の回転速度（Ｎｍ）が前記変速機構（５）の変速比と前記出力回転速度（Ｎｏｕｔ）とを乗算した回転速度（Ｎｓ）に対して所定回転速度差（ｄ２）以内になると、前記回転速度制御を終了して回転電機の出力トルクが目標のトルクとなるように回転電機を制御するトルク制御を開始することを特徴とする。【００２５】
これにより、第２クラッチが直結係合した状態になると、回転電機を通常のトルク制御に戻すことができ、違和感のない車両の加速を可能とすることができる。【００２６】
さらに、本発明は（例えば図１、図８及び図９参照）、前記回転電機制御手段（２３）は、前記トルク制御を開始してから第１の所定時間（ＴＢ）の間、前記回転速度制御の終了時の回転電機（４）の出力トルクから前記回転電機（４）の回転速度の変化に必要なトルクを減算した値（Ｔｍｆｂ−Ａ）を前記目標のトルクとすることを特徴とする。【００２７】
これにより、回転速度制御の間に回転電機が出力しているトルクは、第１クラッチで伝達するトルク容量から第２クラッチで伝達するトルク容量を減算した値に、回転電機の回転速度の変化に必要なトルクを加算した値であるので、回転電機制御手段が、トルク制御を開始してから第１の所定時間の間、回転速度制御の終了時の回転電機の出力トルクから回転電機の回転速度の変化に必要なトルクを減算した値を目標のトルクとすることで、トルク制御を開始してから第１の所定時間の間は、第１クラッチで伝達するトルク容量から第２クラッチで伝達するトルク容量を減算した値に回転電機の目標のトルクを設定することができ、つまり係合開始直後の第２クラッチに、第１クラッチで伝達するトルク容量から回転電機の目標のトルクを減算したトルクが伝達されることになって、第２クラッチにスリップが発生しないようにすることができる。なお、第１の所定時間が経過すると、第２クラッチの係合が進み、該第２クラッチのトルク容量が十分に大きくなるので、その後に第２クラッチがスリップすることもないようにすることができる。【００２８】
また、本発明は（例えば図１、図５乃至図７参照）、前記発電制御を中断してからの経過時間を計時するタイマ手段（２７）と、
前記タイマ手段（２７）により計時された時間が第２の所定時間（ＴＡ）に達しても、回転電機回転速度センサ（４２）により検出される前記回転電機（４）の回転速度（Ｎｍ）とエンジン回転速度センサ（４１）により検出される前記エンジン（２）の回転速度（Ｎｅ）との回転速度差（ｄ１）が検出されない場合に、前記第１クラッチ（ＳＳＣ）のスリップを強制的に発生させる強制スリップ制御を実行する強制スリップ手段（２６）と、を備えたことを特徴とする。【００２９】
これにより、発電制御を中断した後の第１クラッチのスリップへの移行の確実性を増すことができる。【００３０】
さらに、本発明は（例えば図１、図５乃至図７参照）、前記強制スリップ手段（２６）は、前記回転電機制御手段（２３）に指令して、前記回転電機（４）の回転速度（Ｎｍ）を前記エンジン（２）の回転速度（Ｎｅ）よりも低い回転速度（例えばＮｉ−ｄ３）になるように制御することで、前記強制スリップ制御を実行することを特徴とする。【００３１】
これにより、強制スリップ手段は、回転電機制御手段に指令して、回転電機の回転速度をエンジンの回転速度よりも低い回転速度になるように制御することで、強制スリップ制御を実行することができる。【００３２】
さらに、本発明は（例えば図１、図５乃至図７参照）、前記エンジン（２）の回転速度（Ｎｅ）を制御するエンジン制御手段（２１）を備え、
前記強制スリップ手段（２６）は、前記エンジン制御手段（２１）に指令して、前記エンジン（２）の回転速度（Ｎｅ）を前記回転電機（４）の回転速度（Ｎｍ）よりも高い回転速度（例えばＮｉ＋ｄ１＋ｄ４）になるように制御することで、前記強制スリップ制御を実行することを特徴とする。【００３３】
これにより、強制スリップ手段は、エンジン制御手段に指令して、エンジンの回転速度を回転電機の回転速度よりも高い回転速度になるように制御することで、強制スリップ制御を実行することができる。【００３４】
また、本発明は（例えば図１乃至図７参照）、前記回転電機制御手段（２３）は、前記第１クラッチ（ＳＳＣ）のスリップ開始までのアクセル開度が大きいほど、前記目標の回転速度（Ｎｍｔｇ）を低下させる勾配が大きくなるように前記回転速度制御を実行することを特徴とする。【００３５】
これにより、運転者の発進加速度の要求に応じたレスポンスの良い発進を可能とすることができる。【００３６】
なお、上記カッコ内の符号は、図面と対照するためのものであるが、これは、発明の理解を容易にするための便宜的なものであり、請求の範囲の構成に何等影響を及ぼすものではない。
【図面の簡単な説明】
【００３７】
【図１】本ハイブリッド車両及びその制御装置を示すブロック図。
【図２】第１の実施の形態に係る発電制御の中断後から発進までの制御を示すフローチャート。
【図３】第１の実施の形態に係るアクセル開度がＯＦＦの発進時を示すタイムチャート。
【図４】第１の実施の形態に係るアクセル開度がＯＮされた際の発進時を示すタイムチャート。
【図５】第２の実施の形態に係る発電制御の中断後から発進までの制御を示すフローチャート。
【図６】第２の実施の形態に係るモータによる強制スリップ制御を行った発進時を示すタイムチャート。
【図７】第２の実施の形態に係るエンジンによる強制スリップ制御を行った発進時を示すタイムチャート。
【図８】第３の実施の形態に係る発電制御の中断後から発進までの制御を示すフローチャート。
【図９】第３の実施の形態に係るアクセル開度がＯＦＦの発進時を示すタイムチャート。
【発明を実施するための形態】
【００３８】
＜第１の実施の形態＞
以下、本発明に係る第１の実施の形態を図１乃至図４に沿って説明する。なお、図１において、強制スリップ手段２６及びタイマ手段２７は、第２の実施の形態の場合に備えているものとし、第１の実施の形態では、それらの説明を省略する。なお、本明細書中において、「回転数」とは「回転速度」と同義で用いるものである。
【００３９】
図１に示すように、ハイブリッド車両１００は、その駆動系として、エンジン２と、該エンジン２の出力軸（クランク軸）２ａに接続されたハイブリッド駆動装置３とを備えており、該ハイブリッド駆動装置３の出力軸５ｂは、プロペラシャフト等を介してディファレンシャル装置Ｄに駆動連結され、該ディファレンシャル装置Ｄから左右のドライブシャフト等を介して左右の車輪６に駆動力が伝達される。また、ハイブリッド車両１００には、エンジン２の回転によって発電して補機（ライト類、エアコンなど）に電力を供給可能なオルタネータ５０がエンジン２に駆動連結されるように配設されている。
【００４０】
上記エンジン２は、詳しくは後述する車両制御装置（ＥＣＵ）１のエンジン制御手段２１からの指令に基づき、エンジン回転数（エンジンの回転速度）ＮｅやエンジントルクＴｅを自在に制御するエンジン制御部１１に電気的に接続されている。また、エンジン２の出力軸２ａの外周側には、その出力軸２ａの回転数、つまりエンジン回転数Ｎｅを検出するエンジン回転数センサ（エンジン回転速度センサ）４１が配置されている。
【００４１】
ハイブリッド駆動装置３は、エンジン２から車輪６までの動力伝達経路上に配置されており、大まかに、エンジン２の側から順に、エンジン接続用の第１クラッチＳＳＣと、モータ・ジェネレータ（回転電機）４と、変速機構５とを備えて構成されている。そのうちの第１クラッチＳＳＣは、上記エンジン２の出力軸２ａとモータ・ジェネレータ（以下、単に「モータ」という）４のロータ軸４ａとの間に介在し、それらを摩擦係合可能となっている。即ち、第１クラッチＳＳＣは、詳しくは後述する車両制御装置（ＥＣＵ）１の第１クラッチ制御手段２２からの指令に基づき、ＡＴ制御部１３により電気的な指令を受けた油圧制御装置５ＶＢから供給される第１クラッチ油圧ＰＳＳＣに応じて、係合状態が自在に制御され、そのトルク容量も自在に制御される。
【００４２】
上記モータ４は、図示を省略したステータ及びロータを備え、そのロータが接続されたロータ軸４ａが第１クラッチＳＳＣの出力側に駆動連結されている。上記モータ４は、詳しくは後述する車両制御装置（ＥＣＵ）１のモータ制御手段（回転電機制御手段）２３からの指令に基づき、モータ回転数（回転電機の回転速度）ＮｍやモータトルクＴｍ（モータ４から出力されるトルク）を自在に制御するモータ制御部１２に電気的に接続されている。また、モータ４のロータ軸４ａの外周側には、そのロータ軸４ａの回転数、つまりモータ回転数Ｎｍを検出するモータ回転数センサ（回転電機回転速度センサ）４２が配置されている。ロータ軸４ａは、後述する変速機構５の入力軸５ａに直接的に駆動連結されている。
【００４３】
上記変速機構５は、例えばプラネタリギヤ列を複数列組合せて構成した歯車機構を有する有段式変速機からなり、油圧制御装置５ＶＢから供給される油圧に基づき複数の摩擦係合要素（クラッチやブレーキ）の摩擦係合状態を変更することで、伝達経路を変更して変速比の変更を行うように構成されている。この複数の摩擦係合要素のうちの１つとして、入力軸５ａと出力軸５ｂとの間の動力伝達を接続・切断自在に構成され、解放、スリップ係合、完全係合状態に摩擦係合可能な第２クラッチＣ１を有している。
【００４４】
即ち、第２クラッチＣ１は、詳しくは後述する車両制御装置（ＥＣＵ）１の変速機構制御手段２４の第２クラッチ制御手段２５からの指令に基づき、ＡＴ制御部１３により電気的な指令を受けた油圧制御装置５ＶＢから供給される第２クラッチ油圧ＰＣ１に応じて、係合状態が自在に制御され、そのトルク容量も自在に制御される。
【００４５】
また、変速機構５の入力軸５ａの外周側には、その入力軸５ａの回転数、つまり入力回転数（本実施の形態ではモータ回転数Ｎｍと同じ）を検出する入力回転数センサ４３が配置されている。さらに、変速機構５の出力軸５ｂの外周側には、その出力軸５ｂの回転数、つまり出力回転数（出力回転速度）Ｎｏｕｔを検出する出力回転数センサ４４が配置されている。出力軸５ｂは、上述したようにディファレンシャル装置Ｄ等を介して車輪６に駆動連結されているので、出力回転数センサ４４は車速Ｖを検出するものとしても用いることが可能である。
【００４６】
なお、本実施の形態にあって第２クラッチＣ１は、例えば不図示のワンウェイクラッチと共に係合状態になることで前進１速段を達成するものとし、つまり第２クラッチＣ１の１つだけが係合することで変速機構５の前進１速段が達成されるものとして説明するが、例えば他の摩擦係合要素と共に同時係合して前進１速段ないし前進３速段のような発進可能な変速段を達成するものであってもよい。
【００４７】
また、本実施の形態にあっては、変速機構５を有段変速機として説明するが、例えばベルト式、トロイダル式、コーンリング式などの無段変速機であってもよく、その場合、第２クラッチＣ１は、無段変速機に内蔵された動力伝達の接続・切断が可能なクラッチであると考えることができる。
【００４８】
また、上述の第１クラッチＳＳＣと第２クラッチＣ１とは、２つ以上の摩擦係合部材を押圧する油圧の大きさで伝達可能なトルク容量の大きさが可変する摩擦係合可能な要素であり、通常は、それら摩擦係合部材を押圧するピストンと、そのピストンを押圧する油圧シリンダと、油圧シリンダに対して逆方向に作用するリターンスプリングとを備えて構成されているが、これに限らず、対向シリンダによる差圧でピストンが駆動するような構造でもよいし、油圧アクチュエータにより移動するアーム等で摩擦係合部材を押圧するような構造でもよい。
【００４９】
これら第１クラッチＳＳＣや第２クラッチＣ１の状態は、上述のように油圧の大きさで制御され、摩擦係合部材同士が離れた「解放状態」、スリップしつつ伝達するトルク容量を生じる「スリップ係合状態」、油圧を可能な限り大きくして摩擦係合部材同士を締結した「直結係合状態」に分けられる。なお、「スリップ係合状態」は、解放状態からピストンがストロークして摩擦係合部材に接触するストロークエンドとなってから、摩擦係合部材同士の回転速度が同期するまでの間と定義でき、「解放状態」は、ピストンがストロークエンド未満となって摩擦係合部材から離れた状態と定義できる。
【００５０】
ついで、ハイブリッド車両１００の制御装置としての車両制御装置（ＥＣＵ）１について説明する。図１に示すように、車両制御装置１は、エンジン制御手段２１と、第１クラッチ制御手段２２と、モータ制御手段２３と、第２クラッチ制御手段２５を有する変速機構制御手段２４と、要求駆動力算出手段２８と、を備えている。また、車両制御装置１には、ハイブリッド車両１００に備えられている、アクセル開度を検出するアクセル開度センサ３１と、ブレーキペダルの踏圧状態を検出するブレーキセンサ３２と、が電気的に接続されている。
【００５１】
上記エンジン制御手段２１は、エンジン制御部１１を介してエンジン２に指令し、エンジン回転数Ｎｅやエンジントルクを自在に制御する。また、上記第１クラッチ制御手段２２は、ＡＴ制御部１３介して油圧制御装置５ＶＢに指令し、第１クラッチ油圧ＰＳＳＣを調圧制御することで第１クラッチＳＳＣの摩擦係合状態を自在に制御する。また、上記モータ制御手段２３は、モータ制御部１２（及び不図示のインバータ回路）を介してモータ４に指令し、回転数制御（回転速度制御）によるモータ回転数Ｎｍの制御やトルク制御によるモータトルクＴｍの制御を自在にする。
【００５２】
なお、回転数制御とは、モータ目標回転数Ｎｍｔｇを算出・設定し、モータ回転数センサ４２により検出されるモータ回転数Ｎｍがモータ目標回転数Ｎｍｔｇとなるようにインバータ回路等で電気的に制御するものである。また、トルク制御とは、モータ目標トルクを算出・設定し、モータトルクＴｍがモータ目標トルクとなるようにインバータ回路等で電気的に制御するものである。
【００５３】
上記変速機構制御手段２４は、例えば車速やアクセル開度に基づき変速段を選択判断し、ＡＴ制御部１３を介して油圧制御装置５ＶＢに指令し、各摩擦係合要素（クラッチやブレーキ）を油圧制御して、変速制御（変速比の変更）を行うように制御する。また、第２クラッチ制御手段２５は、上述と同様にＡＴ制御部１３を介して油圧制御装置５ＶＢに指令し、第２クラッチ油圧ＰＣ１を調圧制御することで、複数の摩擦係合要素のうちの１つである第２クラッチＣ１の係合状態（解放、スリップ係合、係合完了など）を自在に制御する。
【００５４】
また、要求駆動力算出手段２８は、アクセル開度センサ３１により検出されるアクセル開度（アクセルのＯＮ／ＯＦＦ）やブレーキセンサ３２により検出されるブレーキの踏圧状態（ブレーキのＯＮ／ＯＦＦ）に基づき、運転者が要求（意図）している要求駆動力を算出する。
【００５５】
続いて、本車両制御装置１による停車中の発電制御中からの発進時における制御について、図２乃至図４に沿って説明する。なお、以下の説明では、まず、発進時にブレーキがＯＦＦされてクリープ走行で発進する場合について図２及び図３に沿って説明し、次に、発進時にブレーキがＯＦＦされた後にアクセルがＯＮ（踏圧）されて発進する場合について、図３との相違部分を主として図４に沿って説明する。また、図３及び図４に示すクラッチＳＳＣ油圧ＰＳＳＣ及びクラッチＣ１油圧ＰＣ１の値は、車両制御装置１から油圧制御装置５ＶＢに対する指令値を示したものであり、実際の油圧は指令値に対して所定の応答速度で徐々に追従するものである。
【００５６】
図３に示すように、例えば運転者がブレーキを踏圧してＯＮした状態でハイブリッド車両１００が例えばニュートラルレンジ（Ｎレンジ）で停車している車両停車中にあって、車両制御装置１が不図示のバッテリの残量不足に基づき該バッテリの充電を行うために発電制御を判断している（発電要求の成立）状態では、第１クラッチ制御手段２２からの指令に基づき油圧制御装置５ＶＢから第１クラッチＳＳＣに完全係合指令としてのクラッチＳＳＣ油圧ＰＳＳＣが供給されて該第１クラッチＳＳＣが直結係合状態にされ、エンジン２とモータ４とが駆動連結されると共に、第２クラッチ制御手段２５からの指令に基づき油圧制御装置５ＶＢから第２クラッチＣ１にクラッチＣ１油圧ＰＣ１が非供給（０圧）に指令されて該第２クラッチＣ１が解放状態にされ、エンジン２及びモータ４と、車輪６との動力伝達が切断された状態とされる。そして、エンジン制御手段２１からの指令に基づきエンジン２が発電用の回転数に制御され、つまりモータ４がエンジン２により駆動されてバッテリへの発電が行われる。
【００５７】
この状態から例えば時点ｔ１１において運転者がニュートラルレンジからドライブレンジ（Ｄレンジ）にＮ−Ｄ操作し、時点ｔ１２においてブレーキを離してＯＦＦにすると、車両制御装置１は、運転者が発進を要求しているもの（発進要求）と判断（検出）し、車両制御装置１がモータ４による発電制御の中断を判断する（発電要求の非成立）。すると、図２に示すように、発電制御を中断（発電要求が非成立）してからの発進制御を開始し（Ｓ１−１）、まず、図３に示すように、第１クラッチ制御手段２２が、第１クラッチＳＳＣがスリップ係合状態にされるようにクラッチＳＳＣ油圧ＰＳＳＣを所定圧まで下降すると共に、第２クラッチ制御手段２５が、第２クラッチＣ１の係合制御を開始する（Ｓ１−２）。なお、この際のクラッチＳＳＣ油圧ＰＳＳＣの所定圧は、長時間経過すると第１クラッチＳＳＣが解放する指令値であるが、油圧応答性を加味すると、第１クラッチＳＳＣはスリップ係合状態であって完全には解放されないことになる。また、モータ４による発電制御は中断されるが、エンジン２が回転状態にあるため、オルタネータ５０により補機類のための発電が行われることになる。
【００５８】
上記の発進要求の検出に基づき（発電制御が中断されたことに基づき）、まず、第２クラッチ制御手段２５は、クラッチＣ１油圧ＰＣ１をファストフィル（ストロークエンドまでガタ詰め）するように指令し、一方で、要求駆動力算出手段２８が、アクセル開度センサ３１により検出されるアクセル開度がＯＦＦ（０％）であることに基づき、クリープトルク分として要求駆動力Ｔｒｅｑを算出し、第２クラッチ制御手段２５は、ファストフィルが終了すると、その要求駆動力Ｔｒｅｑを第２クラッチＣ１が伝達するようにクラッチＣ１油圧ＰＣ１を指令する。なお、変速機構制御手段２４は、変速機構５を保護するため、駆動力制限値Ｔｌｉｍを設定し、仮に要求駆動力Ｔｒｅｑが駆動力制限値Ｔｌｉｍを越えるような場合は、第２クラッチＣ１が駆動力制限値Ｔｌｉｍを伝達するようにクラッチＣ１油圧ＰＣ１を指令することになる。
【００５９】
また一方、エンジン制御手段２１は、上記の発進要求の検出に基づき（発電制御が中断されたことに基づき）、エンジン回転数Ｎｅがアイドル回転数Ｎｉとなるようにエンジン２に指令制御し、モータ制御手段２３は、モータ回転数Ｎｍがアイドル回転数Ｎｉと異なる所定回転数となるようにモータ目標回転数Ｎｍｔｇを設定し、モータ回転数Ｎｍがモータ目標回転数Ｎｍｔｇになるようにする形で、アイドル回転数Ｎｉよりも回転数差ｄ１だけ高くなるようにモータ４の回転数制御を開始する。なお、時点ｔ１２の直後は、第１クラッチＳＳＣがスリップを開始する前なので、エンジン回転数Ｎｅが回転数制御されたモータ回転数Ｎｍに同期する形となる。なお、本実施の形態では、エンジン２をアイドル回転数Ｎｉに設定しているので、モータ回転数Ｎｍをアイドル回転数Ｎｉよりも回転数差ｄ１だけ高くなるように制御しているが、エンジン回転数Ｎｅがアイドル回転数Ｎｉ以外の回転数に設定される場合は、モータ回転数Ｎｍをそのエンジン回転数とは異なる回転数に設定しておく。
【００６０】
上記のようにモータ４が回転数制御されることで、モータ回転数Ｎｍがアイドル回転数Ｎｉよりも回転数差ｄ１だけ高い回転数（Ｎｉ＋ｄ１）にモータ４の駆動力で制御されるので、例えば変速機構５の第２クラッチＣ１の引き摺り制御などで、エンジン２のイナーシャ、モータ４のイナーシャ、変速機構５の入力系のイナーシャなどを吸収する必要がなくなり、その分、変速機構５での制御時間が短縮でき、直ぐに第２クラッチＣ１の係合制御に移行することができることになると共に、第２クラッチＣ１で上記イナーシャを吸収する必要が無いため、第２クラッチＣ１の発熱量も下がり、第２クラッチＣ１の耐久性の向上が図られる。なお、この間は、図３に示すように、モータ４のフィードバックトルクＴｍｆｂがイナーシャ吸収分だけ上昇することになる。
【００６１】
その後、エンジン回転数センサ４１によるエンジン回転数Ｎｅの検出とモータ回転数センサ４２によるモータ回転数Ｎｍの検出とに基づき、第１クラッチＳＳＣの差回転が検知されるまで待機し（スリップ待ち）（Ｓ１−３のＮｏ）、時点ｔ１３において、上記のように回転数制御されたモータ回転数Ｎｍとアイドル回転数Ｎｉに制御されたエンジン回転数Ｎｅとの差回転、つまり第１クラッチＳＳＣの差回転が回転数差ｄ１となると（Ｓ１−３のＹｅｓ）、第１クラッチＳＳＣがスリップ係合状態となっているので、まず、第１クラッチ制御手段２２は、第１クラッチＳＳＣの引き摺り状態によってエンジン回転数Ｎｅがアイドル回転数Ｎｉに維持されるように、エンジン回転数制御を開始し（Ｓ１−４）、つまりクラッチＳＳＣ油圧ＰＳＳＣのフィードバック制御がエンジン回転数Ｎｅに基づいて開始される。
【００６２】
また、時点ｔ１３において、第１クラッチＳＳＣの差回転が回転数差ｄ１となると（Ｓ１−３のＹｅｓ）、モータ制御手段２３は、ハイブリッド車両１００がクリープ走行を開始する際の加速度を考慮する形で、モータ目標回転数Ｎｍｔｇをクリープ走行用の回転数になるように所定時間の間だけ第１の所定勾配である急勾配に設定し、つまりモータ回転数Ｎｍが該急勾配で素早く降下させる。その後、所定時間が経過すると、第１の所定勾配よりも緩い第２の所定勾配である緩勾配に設定し、つまりモータ回転数Ｎｍが該緩勾配で徐々に降下するようにモータ４の回転数制御を開始する（Ｓ１−５）。
【００６３】
またこの間、第２クラッチ制御手段２５は、上述のように要求駆動力算出手段２８により算出された要求駆動力Ｔｒｅｑに基づき、第２クラッチＣ１が該要求駆動力Ｔｒｅｑを伝達するトルク容量となるように、クラッチＣ１油圧ＰＣ１を一定値に維持するように指令制御する。
【００６４】
その後、変速機構制御手段２４は、変速機構５の入力回転数センサ４３により検出される入力軸５ａの入力回転数Ｎｉｎと出力回転数センサ４４により検出される出力回転数Ｎｏｕｔとから該変速機構５の変速比を随時算出し、モータ制御手段２３は、その随時算出される変速比に出力回転数Ｎｏｕｔを乗算した値を同期回転数Ｎｓとして算出し、その同期回転数Ｎｓとモータ回転数センサ４２により検出されるモータ回転数Ｎｍとが所定回転数差ｄ２以内となるまで待機する（Ｓ１−６のＮｏ）。
【００６５】
そして、時点ｔ１４において、モータ回転数Ｎｍが同期回転数Ｎｓに対して所定回転数差ｄ２以内となると（Ｓ１−６のＹｅｓ）、つまり変速機構５における第２クラッチＣ１がスリップ係合状態から直結係合状態になったことになり、モータ４と車輪６とが同期したものと判断して、モータ４の回転数制御を終了し（Ｓ１−７）、モータトルクＴｍが目標のトルクとなるようにモータ４を制御するトルク制御に移行する。
【００６６】
また、モータ回転数Ｎｍが同期回転数Ｎｓに対して所定回転数差ｄ２以内となると（Ｓ１−６のＹｅｓ）、第２クラッチ制御手段２５は、クラッチＣ１油圧ＰＣ１の指令値の上昇を開始し、第２クラッチＣ１の直結係合を完了するための係合完了制御を行い（Ｓ１−８）、時点ｔ１５において第２クラッチＣ１の係合完了制御を終了する。
【００６７】
なお、車両制御装置１は、変速機構５を保護するための駆動力制限値の演算を第２クラッチＣ１のトルク容量に基づき演算するので、クラッチＣ１油圧ＰＣ１の指令値の上昇に基づき駆動力制限値も上昇する。また、モータ４がトルク制御に移行し、第１クラッチＳＳＣのスリップ係合の進行によりエンジン２の駆動力（エンジントルク）の入力が上昇するので、モータ４のフィードバックトルクＴｍｆｂは小さくされていき、時点ｔ１５までに０となる。
【００６８】
また、第１クラッチ制御手段２２は、引き続きエンジン回転数制御を行いつつクラッチＳＳＣ油圧ＰＳＳＣのフィードバック制御を行う。これにより、第２クラッチＣ１が直結係合となって変速段が形成された変速機構５を介して、車輪６にエンジン２の駆動力を伝達して車速を上昇していき、つまり第１クラッチＳＳＣよりも出力側のモータ回転数Ｎｍ（変速機構５の入力回転数Ｎｉｎと同じ）が上昇していくので、時点ｔ１６において、エンジン回転数Ｎｅとモータ回転数Ｎｍとが同期して第１クラッチＳＳＣも直結係合状態となって、以上によりハイブリッド車両の発進制御が終了する（Ｓ１−９）。
【００６９】
ついで、図４に沿って、ブレーキがＯＦＦされた後にアクセルがＯＮ（例えばアクセル開度１００％）された場合について説明する。
【００７０】
図４に示すように、ブレーキがＯＮでハイブリッド車両１００が停車している状態で発電制御を判断している（発電要求の成立）状態から、時点ｔ２１において運転者がニュートラルレンジからドライブレンジ（Ｄレンジ）にＮ−Ｄ操作し、時点ｔ２２においてブレーキを離してＯＦＦにすると、発進要求と判断（検出）し、発電制御の中断を判断する（発電要求の非成立）。これにより、図３と同様に、第１クラッチ制御手段２２が第１クラッチＳＳＣのスリップ係合状態への制御を開始し、第２クラッチ制御手段２５が第２クラッチＣ１の係合制御を開始する（Ｓ１−２）。
【００７１】
すると、上記の発進要求の検出に基づき、まず、第２クラッチ制御手段２５は、クラッチＣ１油圧ＰＣ１をファストフィル（ストロークエンドまでガタ詰め）するように指令する。
【００７２】
ここで、例えば時点ｔ２３に運転者によりアクセルがＯＮされると、要求駆動力算出手段２８が、アクセル開度センサ３１により検出されるアクセル開度に基づき要求駆動力Ｔｒｅｑを算出するが、アクセル開度の通りに算出した要求駆動力Ｔｒｅｑ’（図４中破線で示す）に対し、変速機構５の保護のための駆動力制限値Ｔｌｉｍの方が低いため、要求駆動力Ｔｒｅｑを駆動力制限値Ｔｌｉｍと同じになるように算出する。従って、第２クラッチ制御手段２５は、ファストフィルが終了すると、その駆動力制限値Ｔｌｉｍと同じに算出された要求駆動力Ｔｒｅｑを第２クラッチＣ１が伝達するようにクラッチＣ１油圧ＰＣ１を指令する。
【００７３】
一方では、エンジン制御手段２１は、上記の発進要求の検出に基づき、エンジン回転数Ｎｅがアイドル回転数Ｎｉとなるようにエンジン２に指令制御し、モータ制御手段２３は、モータ回転数Ｎｍがアイドル回転数Ｎｉよりも回転数差ｄ１だけ高くモータ目標回転数Ｎｍｔｇを設定し、モータ回転数Ｎｍがモータ目標回転数Ｎｍｔｇになるようにモータ４の回転数制御を開始する。
【００７４】
その後、エンジン回転数センサ４１によるエンジン回転数Ｎｅの検出とモータ回転数センサ４２によるモータ回転数Ｎｍの検出とに基づき、時点ｔ２４において、上記のように回転数制御されたモータ回転数Ｎｍとアイドル回転数Ｎｉに制御されたエンジン回転数Ｎｅとの差回転が回転数差ｄ１となると（Ｓ１−３のＹｅｓ）、つまり第１クラッチＳＳＣがスリップ係合状態となっているので、まず、第１クラッチ制御手段２２は、第１クラッチＳＳＣの引き摺り状態によってエンジン回転数Ｎｅがアイドル回転数Ｎｉに維持されるように、エンジン回転数制御を開始し（Ｓ１−４）、つまりクラッチＳＳＣ油圧ＰＳＳＣのフィードバック制御がエンジン回転数Ｎｅに基づいて開始される。
【００７５】
また、時点ｔ２４において、第１クラッチＳＳＣの差回転が回転数差ｄ１となると（Ｓ１−３のＹｅｓ）、モータ制御手段２３は、ハイブリッド車両１００が上記算出した要求駆動力Ｔｒｅｑ（駆動力制限値Ｔｌｉｍと同じ）で走行を開始する際の加速度を考慮する形で、モータ目標回転数Ｎｍｔｇを前述のクリープ走行用の場合に比して大きな勾配となる設定勾配に設定し、つまりモータ回転数Ｎｍがアクセル開度に応じた大きな設定勾配で降下するようにモータ４の回転数制御を開始する（Ｓ１−５）。なお、この場合は、モータ目標回転数Ｎｍｔｇを一定の設定勾配に設定しているが、図３で示した場合のように、所定時間の間、急勾配である第１の所定勾配に設定し、その後、緩勾配である第２の所定勾配に設定するようにしてもよい。
【００７６】
またこの間、第２クラッチ制御手段２５は、上述のように要求駆動力算出手段２８により算出された要求駆動力Ｔｒｅｑに基づき、第２クラッチＣ１が該要求駆動力Ｔｒｅｑを伝達するトルク容量となるように、クラッチＣ１油圧ＰＣ１を一定値に維持するように指令制御する。
【００７７】
その後、変速機構制御手段２４が随時算出する変速機構５の変速比に基づき、モータ制御手段２３は、その変速比に出力回転数Ｎｏｕｔを乗算した値を同期回転数Ｎｓとして算出し、その同期回転数Ｎｓとモータ回転数センサ４２により検出されるモータ回転数Ｎｍとが所定回転数差ｄ２以内となるまで待機する（Ｓ１−６のＮｏ）。
【００７８】
そして、時点ｔ２５において、モータ回転数Ｎｍが同期回転数Ｎｓに対して所定回転数差ｄ２以内となると（Ｓ１−６のＹｅｓ）、つまり変速機構５における第２クラッチＣ１がスリップ係合状態から直結係合状態になったことになり、モータ４と車輪６とが同期したものと判断して、モータ４の回転数制御を終了し（Ｓ１−７）、モータ４のトルク制御に移行する。
【００７９】
また、モータ回転数Ｎｍが同期回転数Ｎｓに対して所定回転数差ｄ２以内となると（Ｓ１−６のＹｅｓ）、第２クラッチ制御手段２５は、クラッチＣ１油圧ＰＣ１の指令値の上昇を開始し、第２クラッチＣ１の直結係合を完了するための係合完了制御を行い（Ｓ１−８）、時点ｔ２６において第２クラッチＣ１の係合完了制御を終了する。
【００８０】
なお、図３の場合と同様に、変速機構５を保護するための駆動力制限値の演算は、第２クラッチＣ１のトルク容量に基づき演算するので、クラッチＣ１油圧ＰＣ１の指令値の上昇に基づき駆動力制限値Ｔｌｉｍも上昇し、それに伴い、要求駆動力Ｔｒｅｑもそれに沿って上昇していき、アクセル開度の通りに算出した要求駆動力Ｔｒｅｑ’（図４中破線で示す）になると、要求駆動力Ｔｒｅｑをその値で算出するので、つまり一定値となる。そして、モータ４がトルク制御に移行し、第１クラッチＳＳＣのスリップ係合の進行によりエンジン２の駆動力（エンジントルク）の入力が上昇するので、モータ４のフィードバックトルクＴｍｆｂは小さくされていき、途中で０となる。
【００８１】
また、第１クラッチ制御手段２２は、引き続きエンジン回転数制御を行いつつクラッチＳＳＣ油圧ＰＳＳＣのフィードバック制御を行う。これにより、第２クラッチＣ１が直結係合となって変速段が形成された変速機構５を介して、車輪６にエンジン２の駆動力を伝達して車速を上昇していき、つまり第１クラッチＳＳＣよりも出力側のモータ回転数Ｎｍ（変速機構５の入力回転数Ｎｉｎと同じ）が上昇していくので、時点ｔ２７において、エンジン回転数Ｎｅとモータ回転数Ｎｍとが同期して第１クラッチＳＳＣも直結係合状態となって、以上によりハイブリッド車両の発進制御が終了する（Ｓ１−９）。
【００８２】
以上説明したように本ハイブリッド車両の制御装置１によると、ハイブリッド車両１００の発進時にあって、発電制御を中断して、モータ４のモータ回転数Ｎｍを低下させた状態で、第２クラッチＣ１を解放した状態からスリップ係合状態となるように制御すると共に第１クラッチＳＳＣを係合状態からスリップ係合状態となるように制御することができるので、第２クラッチＣ１に負荷をかけることの防止を図ることができ、第２クラッチＣ１の耐久性の向上を図ることができる。また、発電制御を中断してモータ回転数Ｎｍを低下させるので、モータ回転数Ｎｍを、変速機構５の第２クラッチＣ１のスリップで調整する必要がなくなり、回転速度調整が不要になる分のレスポンスの向上を図ることができる。さらに、発進要求を検出したことに基づき、第２クラッチＣ１を解放した状態からスリップ係合状態となるように制御すると共に第１クラッチＳＳＣを係合状態からスリップ係合状態となるように制御するので、レスポンス良い車両の発進を可能にすることができ、ヘジテーションの緩和を図ることができる。
【００８３】
また、本ハイブリッド車両１００では、発進時にあってオルタネータ５０により発電を行うので、モータ４による発電を中断することを可能とすることができ、つまりモータ目標回転数Ｎｍｔｇを低下させることを可能とすることができる。
【００８４】
さらに、急勾配である第１の所定勾配でモータ回転数Ｎｍを低下させることができるので、スリップ係合状態にする第２クラッチＣ１の負荷をさらに低減することができる。また、例えばモータ回転数Ｎｍが第２クラッチＣ１の出力側の回転数と同期してしまうと、第２クラッチＣ１の係合状態を検出することができなくなるが、緩勾配である第２の所定勾配でモータ回転数Ｎｍを低下させることで、第２クラッチＣ１に負荷をかけず、かつ第２クラッチＣ１のスリップ係合状態の制御性を確保することができる。
【００８５】
また、モータ制御手段２３が、第１クラッチＳＳＣのスリップ係合を判定してから、モータ回転数Ｎｍが同期回転数Ｎｓに対して所定回転数差ｄ２以内になるまで、設定勾配でモータ回転数Ｎｍが下降するように回転数制御を実行するので、レスポンス良くモータ４と車輪６との回転同期を図ることができ、ヘジテーションの緩和を図り、かつ滑らかな発進を可能とすることができる。
【００８６】
また、第２クラッチ制御手段２５が、モータ４の回転数制御の実行中に第２クラッチＣ１が要求駆動力Ｔｒｅｑを伝達するトルク容量となるように、第２クラッチＣ１を係合制御するので、回転数制御されたモータ４から運転者の要求駆動力Ｔｒｅｑ以上の駆動力が出力されたとしても、モータ４と車輪６との回転数の同期が図られるまで、車両の出力駆動力を運転者の要求駆動力Ｔｒｅｑに合わせることができる。
【００８７】
さらに、モータ制御手段２３が、第１クラッチＳＳＣのスリップを判定するまで、エンジン回転数Ｎｅと異なる所定回転数になるように（アイドル回転数Ｎｉよりも回転数差ｄ１だけ高くなるように）回転数制御を実行するので、第１クラッチＳＳＣの入力側と出力側とに異なる回転数を与えて、第１クラッチＳＳＣのスリップを促進することができる。また、第１クラッチＳＳＣがスリップした際に、エンジン２とモータ４とが異なる回転数になるので、第１クラッチＳＳＣのスリップの検出を容易にすることができる。
【００８８】
また、モータ制御手段２３は、モータ回転数センサ４２により検出されるモータ回転数Ｎｍとエンジン回転数センサ４１により検出されるエンジン回転数Ｎｅとの回転数差を検出することで第１クラッチＳＳＣのスリップを判定することを可能とすることができる。
【００８９】
さらに、モータ制御手段２３が、モータ回転数Ｎｍが変速機構５の変速比と出力回転数Ｎｏｕｔとを乗算した回転数（つまり同期回転数Ｎｓ）に対して所定回転数差ｄ２以内になると、回転数制御を終了してトルク制御を開始するので、第２クラッチＣ１が直結係合した状態になると、モータ４を通常のトルク制御に戻すことができ、違和感のない車両の加速を可能とすることができる。
【００９０】
そして、モータ制御手段２３が、第１クラッチＳＳＣのスリップ開始までのアクセル開度が大きいほど、モータ目標回転数Ｎｍｔｇを低下させる勾配が大きくなるように回転数制御を実行するので、運転者の発進加速度の要求に応じたレスポンスの良い発進を可能とすることができる。
【００９１】
＜第２の実施の形態＞
ついで、第１の実施の形態を一部変更した第２の実施の形態について図５乃至図７に沿って説明する。なお、ハイブリッド車両１００やその制御装置１における第１の実施の形態と同様な部分は、その説明を省略する。また、以下の説明では、まず、強制スリップ制御としてモータ回転数Ｎｍを下げた場合について図５及び図６に沿って説明し、次に、強制スリップ制御としてエンジン回転数Ｎｅを上げた場合について図６との相違部分を主として図７に沿って説明する。
【００９２】
図１に示すように、本第２の実施の形態においては、車両制御装置１に、第１クラッチＳＳＣに強制的にスリップを生じさせるための強制スリップ手段２６と、発進要求の検出（発電制御の中止）からの経過時間を計時するタイマ手段２７とを備えている。
【００９３】
ついで、第２の実施の形態における発進時の制御について説明する。図６に示すように、ブレーキがＯＮでハイブリッド車両１００が停車している状態で発電制御を判断している（発電要求の成立）状態から、時点ｔ３１において運転者がニュートラルレンジからドライブレンジ（Ｄレンジ）にＮ−Ｄ操作し、時点ｔ３２においてブレーキを離してＯＦＦにすると、発進要求と判断（検出）し、発電制御の中断を判断する（発電要求の非成立）。これにより、本制御を開始し（Ｓ２−１）、第１の実施の形態（例えば図３参照）と同様に、第１クラッチ制御手段２２が第１クラッチＳＳＣのスリップ係合状態への制御を開始し、第２クラッチ制御手段２５が第２クラッチＣ１の係合制御を開始する（Ｓ２−２）。
【００９４】
上記の発進要求の検出に基づき、まず、第２クラッチ制御手段２５は、クラッチＣ１油圧ＰＣ１をファストフィル（ストロークエンドまでガタ詰め）するように指令し、一方で、要求駆動力算出手段２８が、アクセル開度センサ３１により検出されるアクセル開度がＯＦＦ（０％）であることに基づき、クリープトルク分として要求駆動力Ｔｒｅｑを算出し、第２クラッチ制御手段２５は、ファストフィルが終了すると、その要求駆動力Ｔｒｅｑを第２クラッチＣ１が伝達するようにクラッチＣ１油圧ＰＣ１を指令する。なお、ここでは、駆動力制限値Ｔｌｉｍよりも、要求駆動力Ｔｒｅｑが下回っているので、特に制限されることなく、要求駆動力Ｔｒｅｑがクリープトルク分として算出される。
【００９５】
一方では、エンジン制御手段２１は、上記の発進要求の検出に基づき、エンジン回転数Ｎｅがアイドル回転数Ｎｉとなるようにエンジン２に指令制御し、モータ制御手段２３は、モータ回転数Ｎｍがアイドル回転数Ｎｉよりも回転数差ｄ１だけ高くモータ目標回転数Ｎｍｔｇを設定し、モータ回転数Ｎｍがモータ目標回転数Ｎｍｔｇになるようにモータ４の回転数制御を開始する。
【００９６】
この間、エンジン回転数センサ４１によるエンジン回転数Ｎｅの検出とモータ回転数センサ４２によるモータ回転数Ｎｍの検出とに基づき、エンジン回転数Ｎｅとモータ回転数Ｎｍとの差回転、つまり第１クラッチＳＳＣに差回転が生じたか否かを随時判定する（Ｓ２−３）。
【００９７】
また一方で、時点ｔ３２において、発進要求の検出（発電制御の中止）からタイマ手段２７は計時を開始し、上述のようにステップＳ２−３で第１クラッチＳＳＣに差回転が生じたことが検知されていない場合（Ｓ２−３のＮｏ）、所定時間（第２の所定時間）ＴＡが経過したか否かを判定する（Ｓ２−４）。なお、所定時間ＴＡが経過する前に第１クラッチＳＳＣに差回転が生じたことが検知された場合は、後述のステップＳ２−７に進み、第１の実施の形態と同様に制御を行って終了することになる。
【００９８】
例えば時点ｔ３３に第１クラッチＳＳＣに差回転が生じたことが検知されていない状態で（Ｓ２−３のＮｏ）、所定時間ＴＡが経過すると（Ｓ２−４のＹｅｓ）、ステップＳ２−５に進み、強制スリップ手段２６は、モータ制御手段２３にモータ目標回転数Ｎｍｔｇがエンジン回転数Ｎｅ（ここではアイドル回転数Ｎｉ）よりも回転数差ｄ３だけ低い回転数になるように設定し、モータ回転数Ｎｍを強制的にエンジン回転数Ｎｅより低下させる強制スリップ制御を実行する。
【００９９】
これにより、第１クラッチＳＳＣは、入力側がアイドル回転数Ｎｉであるエンジン回転数Ｎｅの駆動力で回転され、出力側がモータ４の回転数制御により強制的にモータ回転数Ｎｍまで引き下げられ、入力側と出力側とで回転数差ｄ３が発生するので、例えば摩擦係合部材同士が何らかの原因で貼り付きを生じていたとしても、強制的にスリップ状態にされる。
【０１００】
仮に、上記のような強制スリップ手段２６による第１クラッチＳＳＣの強制スリップ制御の実行にも拘らず、ステップＳ２−６において第１クラッチＳＳＣの差回転が検知できない場合は（Ｓ２−６のＮｏ）、例えば油圧制御装置５ＶＢのバルブフェールによって第１クラッチＳＳＣを係合（オン）させる状態に故障していることになるので（ＳＳＣオン故障判定）（Ｓ２−１２）、車両制御装置１は、フェールセーフモードへ移行し（Ｓ２−１３）、制御を終了する（Ｓ２−１４）。なお、フェールセーフモードでは、例えば車両発進の禁止、変速機構を保護するために前進２速段や前進３速段での発進に変更、エンジン２やモータ４のトルクリミテーションの強化、などの制御が考えられる。
【０１０１】
上記第１クラッチＳＳＣの強制スリップ制御の実行により、ステップＳ２−６において第１クラッチＳＳＣの差回転が検知された場合は、ステップＳ２−７に進む。すると、第１の実施の形態と同様に、まず、第１クラッチ制御手段２２は、第１クラッチＳＳＣの引き摺り状態によってエンジン回転数Ｎｅがアイドル回転数Ｎｉに維持されるように、エンジン回転数制御を開始し（Ｓ２−７）、つまりクラッチＳＳＣ油圧ＰＳＳＣのフィードバック制御がエンジン回転数Ｎｅに基づいて開始される。
【０１０２】
また、時点ｔ３４において、第１クラッチＳＳＣの差回転が検知されると（Ｓ２−６のＹｅｓ）、モータ制御手段２３は、ハイブリッド車両１００が上記算出したクリープトルクの要求駆動力Ｔｒｅｑで走行を開始する際の加速度を考慮する形で、モータ目標回転数Ｎｍｔｇをクリープ走行用の設定勾配に設定し、つまりモータ回転数Ｎｍがクリープ走行に応じた設定勾配で降下するようにモータ４の回転数制御を開始する（Ｓ２−８）。なお、上述した図４の場合と同様に、運転者によりアクセルがＯＮされた場合には、設定勾配をアクセル開度に応じて急勾配にすることになる。また、この場合も、モータ目標回転数Ｎｍｔｇを一定の設定勾配に設定しているが、図３で示した場合のように、所定時間の間、急勾配である第１の所定勾配に設定し、その後、緩勾配である第２の所定勾配に設定するようにしてもよい。
【０１０３】
またこの間、第２クラッチ制御手段２５は、上述のように要求駆動力算出手段２８により算出された要求駆動力Ｔｒｅｑに基づき、第２クラッチＣ１が該要求駆動力Ｔｒｅｑを伝達するトルク容量となるように、クラッチＣ１油圧ＰＣ１を一定値に維持するように指令制御する。
【０１０４】
その後、変速機構制御手段２４が随時算出する変速機構５の変速比に基づき、モータ制御手段２３は、その変速比に出力回転数Ｎｏｕｔを乗算した値を同期回転数Ｎｓとして算出し、その同期回転数Ｎｓとモータ回転数センサ４２により検出されるモータ回転数Ｎｍとが所定回転数差ｄ２以内となるまで待機する（Ｓ２−９のＮｏ）。
【０１０５】
そして、時点ｔ３５において、モータ回転数Ｎｍが同期回転数Ｎｓに対して所定回転数差ｄ２以内となると（Ｓ２−９のＹｅｓ）、つまり変速機構５における第２クラッチＣ１がスリップ係合状態から直結係合状態になったことになり、モータ４と車輪６とが同期したものと判断して、モータ４の回転数制御を終了し（Ｓ２−１０）、モータ４のトルク制御に移行する。
【０１０６】
また、モータ回転数Ｎｍが同期回転数Ｎｓに対して所定回転数差ｄ２以内となると（Ｓ２−９のＹｅｓ）、第２クラッチ制御手段２５は、クラッチＣ１油圧ＰＣ１の指令値の上昇を開始し、第２クラッチＣ１の直結係合を完了するための係合完了制御を行い（Ｓ２−１１）、時点ｔ３６において第２クラッチＣ１の係合完了制御を終了する。
【０１０７】
そして、第１クラッチ制御手段２２は、引き続きエンジン回転数制御を行いつつクラッチＳＳＣ油圧ＰＳＳＣのフィードバック制御を行う。これにより、第２クラッチＣ１が直結係合となって変速段が形成された変速機構５を介して、車輪６にエンジン２の駆動力を伝達して車速を上昇していき、つまり第１クラッチＳＳＣよりも出力側のモータ回転数Ｎｍ（変速機構５の入力回転数Ｎｉｎと同じ）が上昇していくので、時点ｔ３７において、エンジン回転数Ｎｅとモータ回転数Ｎｍとが同期して第１クラッチＳＳＣも直結係合状態となって、以上によりハイブリッド車両の発進制御が終了する（Ｓ２−１４）。
【０１０８】
続いて、図７に沿って、強制スリップ制御をエンジン２によって行った場合について説明する。図７に示すように、停車中の発電制御状態から、時点ｔ４１において運転者がＮ−Ｄ操作し、時点ｔ４２においてブレーキを離してＯＦＦにすると、発進要求と判断（検出）し、発電制御の中断を判断する。すると、上記図６の場合と同様に、第１クラッチ制御手段２２が第１クラッチＳＳＣのスリップ係合状態への制御を開始し、第２クラッチ制御手段２５が第２クラッチＣ１の係合制御を開始する（Ｓ２−２）。
【０１０９】
次に、上記の発進要求の検出に基づき、第２クラッチ制御手段２５は、クラッチＣ１油圧ＰＣ１をファストフィル（ストロークエンドまでガタ詰め）するように指令し、一方で、要求駆動力算出手段２８が、アクセル開度センサ３１により検出されるアクセル開度がＯＦＦ（０％）であることに基づき、クリープトルク分として要求駆動力Ｔｒｅｑを算出し、第２クラッチ制御手段２５は、ファストフィルが終了すると、その要求駆動力Ｔｒｅｑを第２クラッチＣ１が伝達するようにクラッチＣ１油圧ＰＣ１を指令する。なお、ここでは、駆動力制限値Ｔｌｉｍよりも、要求駆動力Ｔｒｅｑが下回っているので、特に制限されることなく、要求駆動力Ｔｒｅｑがクリープトルク分として算出される。
【０１１０】
一方では、エンジン制御手段２１は、上記の発進要求の検出に基づき、エンジン回転数Ｎｅがアイドル回転数Ｎｉとなるようにエンジン２に指令制御し、モータ制御手段２３は、モータ回転数Ｎｍがアイドル回転数Ｎｉよりも回転数差ｄ１だけ高くモータ目標回転数Ｎｍｔｇを設定し、モータ回転数Ｎｍがモータ目標回転数Ｎｍｔｇになるようにモータ４の回転数制御を開始する。なお、エンジン制御手段２１は、エンジントルクＴｅを、充電制御においてモータ４を駆動するためにトルク出力していた状態から時点ｔ４２においてアイドル回転数Ｎｉになるように下降を開始する。
【０１１１】
この間、エンジン回転数センサ４１によるエンジン回転数Ｎｅの検出とモータ回転数センサ４２によるモータ回転数Ｎｍの検出とに基づき、エンジン回転数Ｎｅとモータ回転数Ｎｍとの差回転、つまり第１クラッチＳＳＣに差回転が生じたか否かを随時判定する（Ｓ２−３）。
【０１１２】
また一方で、時点ｔ４２において、発進要求の検出（発電制御の中止）からタイマ手段２７は計時を開始し、上述のようにステップＳ２−３で第１クラッチＳＳＣに差回転が生じたことが検知されていない場合（Ｓ２−３のＮｏ）、所定時間ＴＡが経過したか否かを判定する（Ｓ２−４）。なお、所定時間ＴＡが経過する前に第１クラッチＳＳＣに差回転が生じたことが検知された場合は、後述のステップＳ２−７に進み、同様に上述した制御を行って終了することになる。
【０１１３】
例えば時点ｔ４３に第１クラッチＳＳＣに差回転が生じたことが検知されていない状態で（Ｓ２−３のＮｏ）、所定時間ＴＡが経過すると（Ｓ２−４のＹｅｓ）、ステップＳ２−５に進み、強制スリップ手段２６は、エンジン制御手段２１によりエンジントルクＴｅが一時的に上昇するように制御し、エンジン回転数Ｎｅをアイドル回転数Ｎｉよりも回転数差ｄ４だけ高い回転数になるように、エンジン回転数Ｎｅを強制的に上昇させる強制スリップ制御を実行する。
【０１１４】
これにより、第１クラッチＳＳＣは、入力側がアイドル回転数Ｎｉよりも回転数差ｄ１＋ｄ４だけ高いエンジン回転数Ｎｅの駆動力で回転され、出力側がモータ４の回転数制御によりアイドル回転数よりも回転数差ｄ１だけ高いモータ回転数Ｎｍに維持され、入力側と出力側とで回転数差ｄ４が発生するので、例えば摩擦係合部材同士が何らかの原因で貼り付きを生じていたとしても、強制的にスリップ状態にされる。
【０１１５】
また同様に、仮に、上記のような強制スリップ手段２６による第１クラッチＳＳＣの強制スリップ制御の実行にも拘らず、ステップＳ２−６において第１クラッチＳＳＣの差回転が検知できない場合は（Ｓ２−６）、ＳＳＣオン故障判定を行い（Ｓ２−１２）、フェールセーフモードへ移行して（Ｓ２−１３）、本制御を終了する（Ｓ２−１４）。
【０１１６】
上記第１クラッチＳＳＣの強制スリップ制御の実行により、ステップＳ２−６において第１クラッチＳＳＣの差回転が検知された場合は、ステップＳ２−７に進む。その後は同様に、エンジン回転数Ｎｅがアイドル回転数Ｎｉに維持されるように、第１クラッチＳＳＣのエンジン回転数制御を開始し（Ｓ２−７）、モータ目標回転数Ｎｍｔｇをクリープ走行用の設定勾配に設定し、該設定勾配で降下するようにモータ４の回転数制御を開始する（Ｓ２−８）。
【０１１７】
またこの間、第２クラッチ制御手段２５は、上述のように要求駆動力算出手段２８により算出された要求駆動力Ｔｒｅｑに基づき、第２クラッチＣ１が該要求駆動力Ｔｒｅｑを伝達するトルク容量となるように、クラッチＣ１油圧ＰＣ１を一定値に維持するように指令制御する。
【０１１８】
その後、変速機構制御手段２４が随時算出する変速機構５の変速比に基づき、モータ制御手段２３は、その変速比に出力回転数Ｎｏｕｔを乗算した値を同期回転数Ｎｓとして算出し、その同期回転数Ｎｓとモータ回転数センサ４２により検出されるモータ回転数Ｎｍとが所定回転数差ｄ２以内となるまで待機する（Ｓ２−９のＮｏ）。
【０１１９】
そして、時点ｔ４５において、モータ回転数Ｎｍが同期回転数Ｎｓに対して所定回転数差ｄ２以内となると（Ｓ２−９のＹｅｓ）、つまり変速機構５における第２クラッチＣ１がスリップ係合状態から直結係合状態になったことになり、モータ４と車輪６とが同期したものと判断して、モータ４の回転数制御を終了し（Ｓ２−１０）、モータ４のトルク制御に移行する。
【０１２０】
また、モータ回転数Ｎｍが同期回転数Ｎｓに対して所定回転数差ｄ２以内となると（Ｓ２−９のＹｅｓ）、第２クラッチ制御手段２５は、クラッチＣ１油圧ＰＣ１の指令値の上昇を開始し、第２クラッチＣ１の直結係合を完了するための係合完了制御を行い（Ｓ２−１１）、時点ｔ４６において第２クラッチＣ１の係合完了制御を終了する。
【０１２１】
そして、第１クラッチ制御手段２２は、引き続きエンジン回転数制御を行いつつクラッチＳＳＣ油圧ＰＳＳＣのフィードバック制御を行う。これにより、第２クラッチＣ１が直結係合となって変速段が形成された変速機構５を介して、車輪６にエンジン２の駆動力を伝達して車速を上昇していき、つまり第１クラッチＳＳＣよりも出力側のモータ回転数Ｎｍ（変速機構５の入力回転数Ｎｉｎと同じ）が上昇していくので、時点ｔ４７において、エンジン回転数Ｎｅとモータ回転数Ｎｍとが同期して第１クラッチＳＳＣも直結係合状態となって、以上によりハイブリッド車両の発進制御が終了する（Ｓ２−１４）。
【０１２２】
以上のように本第２の実施の形態に係るハイブリッド車両の制御装置１によると、強制スリップ手段２６が、タイマ手段２７により計時された時間が所定時間ＴＡに達しても、モータ回転数センサ４２により検出されるモータ回転数Ｎｍとエンジン回転数センサ４１により検出されるエンジン回転数Ｎｅとの回転速度差が検出されない場合に、第１クラッチＳＳＣのスリップを強制的に発生させる強制スリップ制御を実行するので、発電制御を中断した後の第１クラッチＳＳＣのスリップへの移行の確実性を増すことができる。
【０１２３】
また、強制スリップ手段２６は、図６に示すように、モータ制御手段２３に指令して、モータ回転数Ｎｍをエンジン回転数Ｎｅよりも低い回転数になるように制御することで、強制スリップ制御を実行することができる。
【０１２４】
さらに、強制スリップ手段２６は、図７に示すように、エンジン制御手段２１に指令して、エンジン回転数Ｎｅをモータ回転数Ｎｍよりも高い回転数になるように制御することで、強制スリップ制御を実行することができる。
【０１２５】
なお、この強制スリップ制御は、図６に示すようなモータ回転数の低下と、図７に示すようなエンジン回転数の上昇とを組合せることも可能である。特に、ブレーキのＯＦＦによって発進要求を検出した後に、アクセルがＯＮされた場合には、エンジントルクＴｅをそのまま上昇しても良いので、図６に示すようなモータ回転数Ｎｍの低下に図７に示すようなエンジン回転数Ｎｅの上昇が自然に組み合わさることが考えられる。
【０１２６】
なお、第２の実施の形態における、これ以外の構成、作用、効果は、第１の実施の形態と同様であるので、その説明を省略する。
【０１２７】
＜第３の実施の形態＞
ついで、第１の実施の形態を一部変更した第３の実施の形態について図８及び図９に沿って説明する。なお、ハイブリッド車両１００やその制御装置１における第１の実施の形態と同様な部分は、その説明を省略する。
【０１２８】
本第３の実施の形態のものは、第１の実施の形態に比して、図８に示すようにステップＳ３−８及びステップＳ３−９を追加し、図９に示すようにモータ４の回転数制御からトルク制御に移行する時点ｔ１４から所定時間（第１の所定時間）ＴＢの間（つまり第２クラッチＣ１のトルク容量が十分に上昇するまでの間）、第２クラッチＣ１に、そのトルク容量よりも大きなトルクが伝達されてスリップが生じることを防止するものである。なお、図８に示すステップＳ３−１〜ステップＳ３−７は図２に示すステップＳ１−１〜ステップＳ１−７に相当し、図８に示すステップＳ３−１０〜ステップＳ３−１１は図２に示すステップＳ１−８〜ステップＳ１−９に相当するものである。
【０１２９】
詳細には、図９に示すように、例えば運転者がブレーキを踏圧してＯＮした状態でハイブリッド車両１００が例えばニュートラルレンジ（Ｎレンジ）で停車している車両停車中にあって、車両制御装置１が不図示のバッテリの残量不足に基づき該バッテリの充電を行うために発電制御を判断している（発電要求の成立）状態では、第１クラッチ制御手段２２からの指令に基づき油圧制御装置５ＶＢから第１クラッチＳＳＣに完全係合指令としてのクラッチＳＳＣ油圧ＰＳＳＣが供給されて該第１クラッチＳＳＣが直結係合状態にされ、エンジン２とモータ４とが駆動連結されると共に、第２クラッチ制御手段２５からの指令に基づき油圧制御装置５ＶＢから第２クラッチＣ１にクラッチＣ１油圧ＰＣ１が非供給（０圧）に指令されて該第２クラッチＣ１が解放状態にされ、エンジン２及びモータ４と、車輪６との動力伝達が切断された状態とされる。そして、エンジン制御手段２１からの指令に基づきエンジン２が発電用の回転数に制御され、つまりモータ４がエンジン２により駆動されてバッテリへの発電が行われる。
【０１３０】
この状態から例えば時点ｔ１１において運転者がニュートラルレンジからドライブレンジ（Ｄレンジ）にＮ−Ｄ操作し、時点ｔ１２においてブレーキを離してＯＦＦにすると、車両制御装置１は、運転者が発進を要求しているもの（発進要求）と判断（検出）し、車両制御装置１が発電制御の中断を判断する（発電要求の非成立）。すると、図８に示すように、発電制御を中断（発電要求が非成立）してからの発進制御を開始し（Ｓ３−１）、まず、図９に示すように、第１クラッチ制御手段２２が、第１クラッチＳＳＣがスリップ係合状態にされるようにクラッチＳＳＣ油圧ＰＳＳＣを所定圧まで下降すると共に、第２クラッチ制御手段２５が、第２クラッチＣ１の係合制御を開始する（Ｓ３−２）。なお、この際のクラッチＳＳＣ油圧ＰＳＳＣの所定圧は、長時間経過すると第１クラッチＳＳＣが解放する指令値であるが、油圧応答性を加味すると、第１クラッチＳＳＣはスリップ係合状態であって完全には解放されないことになる。
【０１３１】
上記の発進要求の検出に基づき（発電制御が中断されたことに基づき）、まず、第２クラッチ制御手段２５は、クラッチＣ１油圧ＰＣ１をファストフィル（ストロークエンドまでガタ詰め）するように指令し、一方で、要求駆動力算出手段２８が、アクセル開度センサ３１により検出されるアクセル開度がＯＦＦ（０％）であることに基づき、クリープトルク分として要求駆動力Ｔｒｅｑを算出し、第２クラッチ制御手段２５は、ファストフィルが終了すると、その要求駆動力Ｔｒｅｑを第２クラッチＣ１が伝達するようにクラッチＣ１油圧ＰＣ１を指令する。なお、変速機構制御手段２４は、変速機構５を保護するため、駆動力制限値Ｔｌｉｍを設定し、仮に要求駆動力Ｔｒｅｑが駆動力制限値Ｔｌｉｍを越えるような場合は、第２クラッチＣ１が駆動力制限値Ｔｌｉｍを伝達するようにクラッチＣ１油圧ＰＣ１を指令することになる。
【０１３２】
また一方、エンジン制御手段２１は、上記の発進要求の検出に基づき（発電制御が中断されたことに基づき）、エンジン回転数Ｎｅがアイドル回転数Ｎｉとなるようにエンジン２に指令制御し、モータ制御手段２３は、モータ回転数Ｎｍがアイドル回転数Ｎｉと異なる所定回転数となるようにモータ目標回転数Ｎｍｔｇを設定し、モータ回転数Ｎｍがモータ目標回転数Ｎｍｔｇになるようにする形で、アイドル回転数Ｎｉよりも回転数差ｄ１だけ高くなるようにモータ４の回転数制御を開始する。なお、時点ｔ１２の直後は、第１クラッチＳＳＣがスリップを開始する前なので、エンジン回転数Ｎｅが回転数制御されたモータ回転数Ｎｍに同期する形となる。なお、本実施の形態では、エンジン２をアイドル回転数Ｎｉに設定しているので、モータ回転数Ｎｍをアイドル回転数Ｎｉよりも回転数差ｄ１だけ高くなるように制御しているが、エンジン回転数Ｎｅがアイドル回転数Ｎｉ以外の回転数に設定される場合は、モータ回転数Ｎｍをそのエンジン回転数とは異なる回転数に設定しておく。
【０１３３】
上記のようにモータ４が回転数制御されることで、モータ回転数Ｎｍがアイドル回転数Ｎｉよりも回転数差ｄ１だけ高い回転数（Ｎｉ＋ｄ１）にモータ４の駆動力で制御されるので、例えば変速機構５の第２クラッチＣ１の引き摺り制御などで、エンジン２のイナーシャ、モータ４のイナーシャ、変速機構５の入力系のイナーシャなどを吸収する必要がなくなり、その分、変速機構５での制御時間が短縮でき、直ぐに第２クラッチＣ１の係合制御に移行することができることになると共に、第２クラッチＣ１で上記イナーシャを吸収する必要が無いため、第２クラッチＣ１の発熱量も下がり、第２クラッチＣ１の耐久性の向上が図られる。なお、この間は、図９に示すように、モータ４のフィードバックトルクＴｍｆｂがイナーシャ吸収分だけ上昇することになる。
【０１３４】
その後、エンジン回転数センサ４１によるエンジン回転数Ｎｅの検出とモータ回転数センサ４２によるモータ回転数Ｎｍの検出とに基づき、第１クラッチＳＳＣの差回転が検知されるまで待機し（スリップ待ち）（Ｓ３−３のＮｏ）、時点ｔ１３において、上記のように回転数制御されたモータ回転数Ｎｍとアイドル回転数Ｎｉに制御されたエンジン回転数Ｎｅとの差回転、つまり第１クラッチＳＳＣの差回転が回転数差ｄ１となると（Ｓ３−３のＹｅｓ）、第１クラッチＳＳＣがスリップ係合状態となっているので、まず、第１クラッチ制御手段２２は、第１クラッチＳＳＣの引き摺り状態によってエンジン回転数Ｎｅがアイドル回転数Ｎｉに維持されるように、エンジン回転数制御を開始し（Ｓ３−４）、つまりクラッチＳＳＣ油圧ＰＳＳＣのフィードバック制御がエンジン回転数Ｎｅに基づいて開始される。
【０１３５】
また、時点ｔ１３において、第１クラッチＳＳＣの差回転が回転数差ｄ１となると（Ｓ３−３のＹｅｓ）、モータ制御手段２３は、ハイブリッド車両１００がクリープ走行を開始する際の加速度を考慮する形で、モータ目標回転数Ｎｍｔｇをクリープ走行用の設定勾配に設定し、つまりモータ回転数Ｎｍが該設定勾配で徐々に降下するようにモータ４の回転数制御を開始する（Ｓ３−５）。
【０１３６】
またこの間、第２クラッチ制御手段２５は、上述のように要求駆動力算出手段２８により算出された要求駆動力Ｔｒｅｑに基づき、第２クラッチＣ１が該要求駆動力Ｔｒｅｑを伝達するトルク容量となるように、クラッチＣ１油圧ＰＣ１を一定値に維持するように指令制御する。
【０１３７】
その後、変速機構制御手段２４は、変速機構５の入力回転数センサ４３により検出される入力軸５ａの入力回転数Ｎｉｎと出力回転数センサ４４により検出される出力回転数Ｎｏｕｔとから該変速機構５の変速比を随時算出し、モータ制御手段２３は、その随時算出される変速比に出力回転数Ｎｏｕｔを乗算した値を同期回転数Ｎｓとして算出し、その同期回転数Ｎｓとモータ回転数センサ４２により検出されるモータ回転数Ｎｍとが所定回転数差ｄ２以内となるまで待機する（Ｓ３−６のＮｏ）。
【０１３８】
なお、この時点ｔ１３から時点ｔ１４までの間においては、モータ４を回転数制御しているが、その際に出力するモータ４のフィードバックトルクＴｍｆｂは、第１クラッチＳＳＣのトルク容量と第２クラッチＣ１のトルク容量とを釣り合わせるためのトルク（以下、「釣り合いトルク」という）に、モータ４（変速機構５の第２クラッチＣ１よりも入力側を含む）の回転変化（イナーシャ分）を発生させるトルク（以下、「回転変化トルク」という）を加算した値となっている。
【０１３９】
ここで、第１クラッチＳＳＣのトルク容量と第２クラッチＣ１のトルク容量とを釣り合わせるための「釣り合いトルク」とは、第１クラッチＳＳＣから伝達されてくるエンジントルク（エンジン回転数Ｎｅが上昇しない分を第１クラッチＳＳＣがトルク伝達していることになる）から、モータ４のトルクを減算した値が、第２クラッチＣ１に伝達されることになり、該第２クラッチＣ１にスリップを生じさせないことから、つまり第１クラッチＳＳＣのトルク容量から第２クラッチＣ１のトルク容量を減算した値となっている。なお、ここでのモータ４のフィードバックトルクＴｍｆｂは、上記釣り合いトルクや回転変化トルクの値を演算しているのではなく、回転数制御によってモータ４の回転数を上記設定勾配で降下させるので、自然に上述したフィードバックトルクＴｍｆｂ（釣り合いトルク＋回転変化トルク）が出力されている状態である。
【０１４０】
そして、時点ｔ１４において、モータ回転数Ｎｍが同期回転数Ｎｓに対して所定回転数差ｄ２以内となると（Ｓ３−６のＹｅｓ）、つまり変速機構５における第２クラッチＣ１がスリップ係合状態から直結係合状態になったことになり、モータ４と車輪６とが同期したものと判断して、モータ４の回転数制御を終了し（Ｓ３−７）、モータトルクＴｍが目標のトルクとなるようにモータ４を制御するトルク制御に移行する。
【０１４１】
ここで、本第３の実施の形態にあっては、回転数制御の終了時のモータ４のフィードバックトルクＴｍｆｂ（回転速度制御の終了時の回転電機の出力トルク）から、上記回転変化トルク（回転電機の回転速度の変化に必要なトルク）を減算した値を、モータ４の目標のトルクとして、つまりフィードバックトルクＴｍｆｂを釣り合いトルクＴｍｆｂ−Ａに設定する（Ｓ３−８）。なお、第２クラッチ制御手段２５は、この時点ｔ１４からクラッチＣ１油圧ＰＣ１の指令値の上昇も開始する。
【０１４２】
これにより、第１クラッチＳＳＣから伝達されてくるエンジントルクから、モータ４のフィードバックトルクＴｍｆｂによる釣り合いトルクＴｍｆｂ−Ａが減算されたトルクが、第２クラッチＣ１に伝達されるので、つまり第２クラッチＣ１のトルク容量を超えたトルクが該第２クラッチＣ１に入力されることが防止され、つまり該第２クラッチＣ１のスリップが防止される。
【０１４３】
そして、フィードバックトルクＴｍｆｂを釣り合いトルクＴｍｆｂ−Ａに設定した後、所定時間ＴＢが経過するまで待機する（Ｓ３−９のＮｏ）。この所定時間ＴＢは、つまり第２クラッチＣ１の実油圧が上昇し、該第２クラッチＣ１のトルク容量が、第１クラッチＳＳＣから伝達されてくるエンジントルクよりも大きくなるまでの時間に設定されている。従って、所定時間ＴＢが経過するまでフィードバックトルクＴｍｆｂを釣り合いトルクＴｍｆｂ−Ａに設定しておけば、その後に第１クラッチＳＳＣから伝達されてくるエンジントルクが第２クラッチＣ１に入力されても、ギア第２クラッチＣ１がスリップすることはない。
【０１４４】
その後、モータ回転数制御が終了してから所定時間ＴＢが経過すると（Ｓ３−９のＹｅｓ）、第２クラッチ制御手段２５は、第２クラッチＣ１の直結係合を完了するための係合完了制御を行い（Ｓ３−１０）、時点ｔ１５において第２クラッチＣ１の係合完了制御を終了する。
【０１４５】
なお、車両制御装置１は、変速機構５を保護するための駆動力制限値の演算を第２クラッチＣ１のトルク容量に基づき演算するので、クラッチＣ１油圧ＰＣ１の指令値の上昇に基づき駆動力制限値も上昇する。また、モータ４のフィードバックトルクＴｍｆｂは徐々に小さくされていき、時点ｔ１５までに０となる。
【０１４６】
また、第１クラッチ制御手段２２は、引き続きエンジン回転数制御を行いつつクラッチＳＳＣ油圧ＰＳＳＣのフィードバック制御を行う。これにより、第２クラッチＣ１が直結係合となって変速段が形成された変速機構５を介して、車輪６にエンジン２の駆動力を伝達して車速を上昇していき、つまり第１クラッチＳＳＣよりも出力側のモータ回転数Ｎｍ（変速機構５の入力回転数Ｎｉｎと同じ）が上昇していくので、時点ｔ１６において、エンジン回転数Ｎｅとモータ回転数Ｎｍとが同期して第１クラッチＳＳＣも直結係合状態となって、以上によりハイブリッド車両の発進制御が終了する（Ｓ３−１１）。
【０１４７】
以上説明したように本ハイブリッド車両の制御装置１によると、モータ４の回転数制御の間にモータ４が出力しているトルクは、第１クラッチＳＳＣで伝達するトルク容量から第２クラッチＣ１で伝達するトルク容量を減算した値に、モータ４の回転数（回転速度）の変化に必要なトルク（イナーシャトルク分）を加算した値であるので、モータ制御手段２３が、トルク制御を開始してから所定時間ＴＢの間、回転数制御の終了時のモータ４のフィードバックトルクＴｍｆｂからモータ４の回転数変化に必要なトルク（イナーシャトルク分）を減算した値をフィードバックトルクＴｍｆｂの目標のトルクとして設定することで、トルク制御を開始してから所定時間ＴＢの間は、第１クラッチＳＳＣで伝達するトルク容量（つまりエンジントルク）から第２クラッチＣ１で伝達するトルク容量を減算した値にモータ４の目標のフィードバックトルクＴｍｆｂ−Ａを設定することができ、つまり係合開始直後の第２クラッチＣ１に、第１クラッチＳＳＣで伝達するトルク容量（つまりエンジントルク）からモータ４の目標のフィードバックトルクＴｍｆｂ−Ａを減算したトルクが伝達されることになって、第２クラッチＣ１にスリップが発生しないようにすることができる。なお、所定時間ＴＢが経過すると、第２クラッチＣ１の係合（実油圧の上昇）が進み、該第２クラッチＣ１のトルク容量が十分に大きくなるので、その後に第２クラッチＣ１がスリップすることもないようにすることができる。
【０１４８】
なお、第３の実施の形態における、これ以外の構成、作用、効果は、第１の実施の形態と同様であるので、その説明を省略する。
【０１４９】
また、第３の実施の形態では、第２の実施の形態で説明した強制スリップ制御を行っていないものを説明したが、勿論、第３の実施の形態でも、第２の実施の形態と同様の強制スリップ制御を行ってもよい。
【０１５０】
なお、以上説明した第１乃至第３の実施の形態においては、発進要求を検出して発電制御を中断した際に、第１クラッチＳＳＣをスリップ係合状態にするものを説明したが、一旦、第１クラッチＳＳＣが完全に解放されてから、第２クラッチＣ１をスリップ係合しつつ、第１クラッチＳＳＣのスリップ係合も同時進行的に開始するようにしても構わない。
【０１５１】
また、以上説明した第１乃至第３の実施の形態においては、モータ回転数Ｎｍが変速機構の変速比と出力回転数Ｎｏｕｔとを乗算した同期回転数Ｎｓに対して所定回転速度差以内となった際に、モータ４と車輪６との回転同期として判断するものを説明したが、モータ回転数Ｎｍを変速比で除算して出力回転数Ｎｏｕｔと所定回転速度差以内となった際にモータ４と車輪６との回転同期として判断するものも同義であり、本発明の範囲内である。
【０１５２】
また、以上説明した第１乃至第３の実施の形態においては、変速機構５の第２クラッチが第１速段をワンウェイクラッチと共に協働して達成するクラッチＣ１であるものを説明したが、これに限らず、変速機構５の動力伝達状態を摩擦係合により切断、スリップ伝達、接続できるものであれば、どのようなクラッチであっても構わない。
【産業上の利用可能性】
【０１５３】
本発明に係るハイブリッド車両の制御装置は、乗用車、トラック等の車両に用いることが可能であり、特に車両の停車中に回転電機による発電制御を実行している状態から車両を発進させる際に、レスポンスを向上しつつクラッチの耐久性を確保することが求められるものに用いて好適である。
【符号の説明】
【０１５４】
１    ハイブリッド車両の制御装置
２    エンジン
４    回転電機（モータ）
５    変速機構
６    車輪
２１    エンジン制御手段
２２    第１クラッチ制御手段
２３    回転電機制御手段（モータ制御手段）
２５    第２クラッチ制御手段
２６    強制スリップ手段
２７    タイマ手段
２８    要求駆動力算出手段
３１    アクセル開度センサ
４１    エンジン回転速度センサ（エンジン回転数センサ）
４２    回転電機回転速度センサ（モータ回転数センサ）
４４    出力回転数センサ
５０    オルタネータ
１００    ハイブリッド車両
Ｃ１    第２クラッチ
Ｎｅ    エンジンの回転速度（エンジン回転数）
Ｎｍ    回転電機の回転速度（モータ回転数）
Ｎｍｔｇ  目標の回転速度（モータ目標回転数）
Ｎｏｕｔ  出力回転速度
Ｎｓ    変速機構の変速比と出力回転速度とを乗算した回転速度（同期回転数）
ＳＳＣ    第１クラッチ
ＴＡ    第２の所定時間
ＴＢ    第１の所定時間
Ｔｒｅｑ    要求駆動力
ｄ１    回転速度差
ｄ２    所定回転速度差
【図１】
2014051107.tif 000003
【図２】
2014051107.tif 000004
【図３】
2014051107.tif 000005
【図４】
2014051107.tif 000006
【図５】
2014051107.tif 000007
【図６】
2014051107.tif 000008
【図７】
2014051107.tif 000009
【図８】
2014051107.tif 000010
【図９】
2014051107.tif 000011
【手続補正書】
【提出日】平成28年1月8日(2016.1.8)
【手続補正１】
【補正対象書類名】明細書
【補正対象項目名】００１０
【補正方法】変更
【補正の内容】
【００１０】
本発明は（例えば図１乃至図９参照）、エンジン（２）から車輪（６）までの動力伝達経路上に、前記エンジン（２）の側から順に、第１クラッチ（ＳＳＣ）、回転電機（４）、第２クラッチ（Ｃ１）が配設され、かつ前記エンジンの回転によって発電して補機に電力を供給可能なオルタネータ（５０）を有するハイブリッド車両（１００）に用いられ、
発進要求を検出したことに基づき、前記ハイブリッド車両（１００）を発進させるハイブリッド車両の制御装置（１）において、
前記発進要求を検出したことに基づき、前記第１クラッチ（ＳＳＣ）の係合状態を制御する第１クラッチ制御手段（２２）と、
前記発進要求を検出したことに基づき、前記第２クラッチ（Ｃ１）の係合状態を制御する第２クラッチ制御手段（２５）と、
前記発進要求を検出したことに基づき、前記回転電機（４）の回転速度（Ｎｍ）が目標の回転速度（Ｎｍｔｇ）となるように前記回転電機（４）を回転速度制御する回転電機制御手段（２３）と、を備え、
前記第１クラッチ（ＳＳＣ）を直結係合しつつ前記第２クラッチ（Ｃ１）を解放した状態で前記エンジン（２）を駆動して発電制御を行っている停車中から、前記発進要求を検出したことに基づき前記オルタネータ（５０）による発電を行いながら前記発電制御を中断した後、前記第２クラッチ制御手段（２５）により前記第２クラッチ（Ｃ１）を解放した状態からスリップ係合状態となるように制御すると共に前記第１クラッチ制御手段（２２）により前記第１クラッチ（ＳＳＣ）を係合状態からスリップ係合状態となるように制御し、かつ前記回転電機制御手段（２３）により前記目標の回転速度を低下させることを特徴とする。
【手続補正２】
【補正対象書類名】明細書
【補正対象項目名】００１１
【補正方法】変更
【補正の内容】
【００１１】
これにより、ハイブリッド車両の発進時にあって、発電制御を中断して、回転電機の回転速度を低下させた状態で、第２クラッチを解放した状態からスリップ係合状態となるように制御すると共に第１クラッチを係合状態からスリップ係合状態となるように制御することができるので、第２クラッチに負荷をかけることの防止を図ることができ、第２クラッチの耐久性の向上を図ることができる。また、発電制御を中断して回転電機の回転速度を低下させるので、回転電機の回転速度を、変速機構の第２クラッチのスリップで調整する必要がなくなり、回転速度調整が不要になる分のレスポンスの向上を図ることができる。さらに、発進要求を検出したことに基づき、第２クラッチを解放した状態からスリップ係合状態となるように制御すると共に第１クラッチを係合状態からスリップ係合状態となるように制御するので、レスポンス良い車両の発進を可能にすることができ、ヘジテーションの緩和を図ることができる。そして、発進時にあってオルタネータにより発電を行うので、回転電機による発電を中断することを可能とすることができ、つまり回転電機の目標の回転速度を低下させることを可能とすることができる。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明は（例えば図１乃至図９参照）、エンジン（２）から車輪（６）までの動力伝達経路上に、前記エンジン（２）の側から順に、第１クラッチ（ＳＳＣ）、回転電機（４）、第２クラッチ（Ｃ１）が配設されたハイブリッド車両（１００）に用いられ、
発進要求を検出したことに基づき、前記ハイブリッド車両（１００）を発進させるハイブリッド車両の制御装置（１）において、
前記発進要求を検出したことに基づき、前記第１クラッチ（ＳＳＣ）の係合状態を制御する第１クラッチ制御手段（２２）と、
前記発進要求を検出したことに基づき、前記第２クラッチ（Ｃ１）の係合状態を制御する第２クラッチ制御手段（２５）と、
前記発進要求を検出したことに基づき、前記回転電機（４）の回転速度（Ｎｍ）が目標の回転速度（Ｎｍｔｇ）となるように前記回転電機（４）を回転速度制御する回転電機制御手段（２３）と、を備え、
前記第１クラッチ（ＳＳＣ）を直結係合しつつ前記第２クラッチ（Ｃ１）を解放した状態で前記エンジン（２）を駆動して発電制御を行っている停車中から、前記発進要求を検出したことに基づき前記発電制御を中断した後、前記第２クラッチ制御手段（２５）により前記第２クラッチ（Ｃ１）を解放した状態からスリップ係合状態となるように制御すると共に前記第１クラッチ制御手段（２２）により前記第１クラッチ（ＳＳＣ）を係合状態からスリップ係合状態となるように制御し、かつ前記回転電機制御手段（２３）により前記目標の回転速度を低下させ、
さらに、前記回転電機制御手段（２３）は、前記目標の回転速度を低下させる際、前記目標の回転速度（Ｎｍｔｇ）を、所定時間の間、第１の所定勾配で低下させ、前記所定時間が経過すると前記第１の所定勾配よりも緩い第２の所定勾配で低下させることを特徴とする。
【手続補正６】
【補正対象書類名】明細書
【補正対象項目名】００１５
【補正方法】変更
【補正の内容】
【００１５】
これにより、ハイブリッド車両の発進時にあって、発電制御を中断して、回転電機の回転速度を低下させた状態で、第２クラッチを解放した状態からスリップ係合状態となるように制御すると共に第１クラッチを係合状態からスリップ係合状態となるように制御することができるので、第２クラッチに負荷をかけることの防止を図ることができ、第２クラッチの耐久性の向上を図ることができる。また、発電制御を中断して回転電機の回転速度を低下させるので、回転電機の回転速度を、変速機構の第２クラッチのスリップで調整する必要がなくなり、回転速度調整が不要になる分のレスポンスの向上を図ることができる。さらに、発進要求を検出したことに基づき、第２クラッチを解放した状態からスリップ係合状態となるように制御すると共に第１クラッチを係合状態からスリップ係合状態となるように制御するので、レスポンス良い車両の発進を可能にすることができ、ヘジテーションの緩和を図ることができる。そして、急勾配である第１の所定勾配で回転電機の回転速度を低下させることができるので、スリップ係合状態にする第２クラッチの負荷をさらに低減することができる。また、例えば回転電機の回転速度が第２クラッチの出力側の回転速度と同期してしまうと、第２クラッチの係合状態を検出することができなくなるが、緩勾配である第２の所定勾配で回転電機の回転速度を低下させることで、第２クラッチに負荷をかけず、かつ第２クラッチのスリップ係合状態の制御性を確保することができる。
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】変更
【補正の内容】
【００１８】
本発明は（例えば図１乃至図９参照）、エンジン（２）から車輪（６）までの動力伝達経路上に、前記エンジン（２）の側から順に、第１クラッチ（ＳＳＣ）、回転電機（４）、第２クラッチ（Ｃ１）が配設されたハイブリッド車両（１００）に用いられ、
発進要求を検出したことに基づき、前記ハイブリッド車両（１００）を発進させるハイブリッド車両の制御装置（１）において、
前記発進要求を検出したことに基づき、前記第１クラッチ（ＳＳＣ）の係合状態を制御する第１クラッチ制御手段（２２）と、
前記発進要求を検出したことに基づき、前記第２クラッチ（Ｃ１）の係合状態を制御する第２クラッチ制御手段（２５）と、
前記発進要求を検出したことに基づき、前記回転電機（４）の回転速度（Ｎｍ）が目標の回転速度（Ｎｍｔｇ）となるように前記回転電機（４）を回転速度制御する回転電機制御手段（２３）と、
運転者の要求駆動力（Ｔｒｅｑ）を算出する要求駆動力算出手段（２８）と、を備え、
前記第１クラッチ（ＳＳＣ）を直結係合しつつ前記第２クラッチ（Ｃ１）を解放した状態で前記エンジン（２）を駆動して発電制御を行っている停車中から、前記発進要求を検出したことに基づき前記発電制御を中断した後、前記第２クラッチ制御手段（２５）により前記第２クラッチ（Ｃ１）を解放した状態から前記要求駆動力を伝達するトルク容量でスリップ係合状態となるように制御すると共に前記第１クラッチ制御手段（２２）により前記第１クラッチ（ＳＳＣ）を係合状態からスリップ係合状態となるように制御し、かつ前記回転電機制御手段（２３）により前記目標の回転速度を低下させることを特徴とする。
【手続補正９】
【補正対象書類名】明細書
【補正対象項目名】００１９
【補正方法】変更
【補正の内容】
【００１９】
これにより、ハイブリッド車両の発進時にあって、発電制御を中断して、回転電機の回転速度を低下させた状態で、第２クラッチを解放した状態からスリップ係合状態となるように制御すると共に第１クラッチを係合状態からスリップ係合状態となるように制御することができるので、第２クラッチに負荷をかけることの防止を図ることができ、第２クラッチの耐久性の向上を図ることができる。また、発電制御を中断して回転電機の回転速度を低下させるので、回転電機の回転速度を、変速機構の第２クラッチのスリップで調整する必要がなくなり、回転速度調整が不要になる分のレスポンスの向上を図ることができる。さらに、発進要求を検出したことに基づき、第２クラッチを解放した状態からスリップ係合状態となるように制御すると共に第１クラッチを係合状態からスリップ係合状態となるように制御するので、レスポンス良い車両の発進を可能にすることができ、ヘジテーションの緩和を図ることができる。そして、回転速度制御された回転電機から運転者の要求駆動力以上の駆動力が出力されたとしても、回転電機と車輪との回転速度の同期が図られるまで、車両の出力駆動力を運転者の要求駆動力に合わせることができる。
【手続補正１０】
【補正対象書類名】明細書
【補正対象項目名】００２０
【補正方法】変更
【補正の内容】
【００２０】
また、本発明は（例えば図１乃至図９参照）、前記回転電機（４）と車輪（６）との間に介在され、前記第２クラッチを有する変速機構（５）を備え、
前記第２クラッチ制御手段（２５）は、前記回転電機（４）の回転速度（Ｎｍ）が前記変速機構（５）の変速比と出力回転速度（Ｎｏｕｔ）とを乗算した回転速度（Ｎｓ）に対して所定回転速度差（ｄ２）以内となった際に、前記第２クラッチ（Ｃ１）を直結係合状態に移行することを特徴とする。
【手続補正１１】
【補正対象書類名】明細書
【補正対象項目名】００２１
【補正方法】変更
【補正の内容】
【００２１】
また、本発明は（例えば図１乃至図９参照）、前記回転電機制御手段（２３）は、前記第１クラッチ（ＳＳＣ）のスリップ係合状態を判定するまで、前記エンジン（２）の回転速度（Ｎｅ）と異なる所定回転速度（例えばＮｉ＋ｄ１）になるように前記回転速度制御を実行することを特徴とする。
これにより、第１クラッチの入力側と出力側とに異なる回転速度を与えて、第１クラッチのスリップを促進することができる。また、第１クラッチがスリップした際に、エンジンと回転電機とが異なる回転速度になるので、第１クラッチのスリップの検出を容易にすることができる。
【手続補正１２】
【補正対象書類名】明細書
【補正対象項目名】００２４
【補正方法】変更
【補正の内容】
【００２４】
また、本発明は（例えば図１乃至図９参照）、前記回転電機（４）と車輪（６）との間に介在され、前記第２クラッチを有する変速機構（５）を備え、
前記回転電機制御手段（２３）は、前記回転電機（４）の回転速度（Ｎｍ）が前記変速機構（５）の変速比と前記変速機構（５）の出力回転速度（Ｎｏｕｔ）とを乗算した回転速度（Ｎｓ）に対して所定回転速度差（ｄ２）以内になると、前記回転速度制御を終了して回転電機の出力トルクが目標のトルクとなるように回転電機を制御するトルク制御を開始することを特徴とする。
【手続補正１３】
【補正対象書類名】明細書
【補正対象項目名】０１４３
【補正方法】変更
【補正の内容】
【０１４３】
そして、フィードバックトルクＴｍｆｂを釣り合いトルクＴｍｆｂ−Ａに設定した後、所定時間ＴＢが経過するまで待機する（Ｓ３−９のＮｏ）。この所定時間ＴＢは、つまり第２クラッチＣ１の実油圧が上昇し、該第２クラッチＣ１のトルク容量が、第１クラッチＳＳＣから伝達されてくるエンジントルクよりも大きくなるまでの時間に設定されている。従って、所定時間ＴＢが経過するまでフィードバックトルクＴｍｆｂを釣り合いトルクＴｍｆｂ−Ａに設定しておけば、その後に第１クラッチＳＳＣから伝達されてくるエンジントルクが第２クラッチＣ１に入力されても、第２クラッチＣ１がスリップすることはない。
【手続補正１４】
【補正対象書類名】特許請求の範囲
【補正対象項目名】全文
【補正方法】変更
【補正の内容】
【特許請求の範囲】
【請求項１】
エンジンから車輪までの動力伝達経路上に、前記エンジンの側から順に、第１クラッチ、回転電機、第２クラッチが配設され、かつ前記エンジンの回転によって発電して補機に電力を供給可能なオルタネータを有するハイブリッド車両に用いられ、
発進要求を検出したことに基づき、前記ハイブリッド車両を発進させるハイブリッド車両の制御装置において、
前記発進要求を検出したことに基づき、前記第１クラッチの係合状態を制御する第１クラッチ制御手段と、
前記発進要求を検出したことに基づき、前記第２クラッチの係合状態を制御する第２クラッチ制御手段と、
前記発進要求を検出したことに基づき、前記回転電機の回転速度が目標の回転速度となるように前記回転電機を回転速度制御する回転電機制御手段と、を備え、
前記第１クラッチを直結係合しつつ前記第２クラッチを解放した状態で前記エンジンを駆動して発電制御を行っている停車中から、前記発進要求を検出したことに基づき前記オルタネータによる発電を行いながら前記発電制御を中断した後、前記第２クラッチ制御手段により前記第２クラッチを解放した状態からスリップ係合状態となるように制御すると共に前記第１クラッチ制御手段により前記第１クラッチを係合状態からスリップ係合状態となるように制御し、かつ前記回転電機制御手段により前記目標の回転速度を低下させる、
ことを特徴とするハイブリッド車両の制御装置。
【請求項２】
前記回転電機制御手段は、前記目標の回転速度を低下させる際、前記目標の回転速度を、所定時間の間、第１の所定勾配で低下させ、前記所定時間が経過すると前記第１の所定勾配よりも緩い第２の所定勾配で低下させる、
ことを特徴とする請求項１記載のハイブリッド車両の制御装置。
【請求項３】
運転者の要求駆動力を算出する要求駆動力算出手段を備え、
前記第２クラッチ制御手段は、前記回転電機の回転速度制御の実行中に前記第２クラッチが前記要求駆動力を伝達するトルク容量となるように、前記第２クラッチを制御する、
ことを特徴とする請求項１または２記載のハイブリッド車両の制御装置。
【請求項４】
エンジンから車輪までの動力伝達経路上に、前記エンジンの側から順に、第１クラッチ、回転電機、第２クラッチが配設されたハイブリッド車両に用いられ、
発進要求を検出したことに基づき、前記ハイブリッド車両を発進させるハイブリッド車両の制御装置において、
前記発進要求を検出したことに基づき、前記第１クラッチの係合状態を制御する第１クラッチ制御手段と、
前記発進要求を検出したことに基づき、前記第２クラッチの係合状態を制御する第２クラッチ制御手段と、
前記発進要求を検出したことに基づき、前記回転電機の回転速度が目標の回転速度となるように前記回転電機を回転速度制御する回転電機制御手段と、を備え、
前記第１クラッチを直結係合しつつ前記第２クラッチを解放した状態で前記エンジンを駆動して発電制御を行っている停車中から、前記発進要求を検出したことに基づき前記発電制御を中断した後、前記第２クラッチ制御手段により前記第２クラッチを解放した状態からスリップ係合状態となるように制御すると共に前記第１クラッチ制御手段により前記第１クラッチを係合状態からスリップ係合状態となるように制御し、かつ前記回転電機制御手段により前記目標の回転速度を低下させ、
さらに、前記回転電機制御手段は、前記目標の回転速度を低下させる際、前記目標の回転速度を、所定時間の間、第１の所定勾配で低下させ、前記所定時間が経過すると前記第１の所定勾配よりも緩い第２の所定勾配で低下させる、
ことを特徴とするハイブリッド車両の制御装置。
【請求項５】
運転者の要求駆動力を算出する要求駆動力算出手段を備え、
前記第２クラッチ制御手段は、前記回転電機の回転速度制御の実行中に前記第２クラッチが前記要求駆動力を伝達するトルク容量となるように、前記第２クラッチを制御する、
ことを特徴とする請求項４記載のハイブリッド車両の制御装置。
【請求項６】
エンジンから車輪までの動力伝達経路上に、前記エンジンの側から順に、第１クラッチ、回転電機、第２クラッチが配設されたハイブリッド車両に用いられ、
発進要求を検出したことに基づき、前記ハイブリッド車両を発進させるハイブリッド車両の制御装置において、
前記発進要求を検出したことに基づき、前記第１クラッチの係合状態を制御する第１クラッチ制御手段と、
前記発進要求を検出したことに基づき、前記第２クラッチの係合状態を制御する第２クラッチ制御手段と、
前記発進要求を検出したことに基づき、前記回転電機の回転速度が目標の回転速度となるように前記回転電機を回転速度制御する回転電機制御手段と、
運転者の要求駆動力を算出する要求駆動力算出手段と、を備え、
前記第１クラッチを直結係合しつつ前記第２クラッチを解放した状態で前記エンジンを駆動して発電制御を行っている停車中から、前記発進要求を検出したことに基づき前記発電制御を中断した後、前記第２クラッチ制御手段により前記第２クラッチを解放した状態から前記要求駆動力を伝達するトルク容量でスリップ係合状態となるように制御すると共に前記第１クラッチ制御手段により前記第１クラッチを係合状態からスリップ係合状態となるように制御し、かつ前記回転電機制御手段により前記目標の回転速度を低下させる、
ことを特徴とするハイブリッド車両の制御装置。
【請求項７】
前記回転電機と車輪との間に介在され、前記第２クラッチを有する変速機構を備え、
前記第２クラッチ制御手段は、前記回転電機の回転速度が前記変速機構の変速比と出力回転速度とを乗算した回転速度に対して所定回転速度差以内となった際に、前記第２クラッチを直結係合状態に移行する、
ことを特徴とする請求項１ないし６のいずれか記載のハイブリッド車両の制御装置。
【請求項８】
前記回転電機制御手段は、前記第１クラッチのスリップ係合状態を判定するまで、前記エンジンの回転速度と異なる所定回転速度になるように前記回転速度制御を実行する、
ことを特徴とする請求項１ないし７のいずれか記載のハイブリッド車両の制御装置。
【請求項９】
前記回転電機制御手段は、回転電機回転速度センサにより検出される前記回転電機の回転速度とエンジン回転速度センサにより検出される前記エンジンの回転速度との回転速度差に基づいて前記第１クラッチのスリップ係合状態を判定する、
ことを特徴とする請求項１ないし８のいずれか記載のハイブリッド車両の制御装置。
【請求項１０】
前記回転電機と車輪との間に介在され、前記第２クラッチを有する変速機構を備え、
前記回転電機制御手段は、前記回転電機の回転速度が前記変速機構の変速比と前記変速機構の出力回転速度とを乗算した回転速度に対して所定回転速度差以内になると、前記回転速度制御を終了して回転電機の出力トルクが目標のトルクとなるように回転電機を制御するトルク制御を開始する、
ことを特徴とする請求項１ないし９のいずれか記載のハイブリッド車両の制御装置。
【請求項１１】
前記回転電機制御手段は、前記トルク制御を開始してから第１の所定時間の間、前記回転速度制御の終了時の回転電機の出力トルクから前記回転電機の回転速度の変化に必要なトルクを減算した値を前記目標のトルクとする、
ことを特徴とする請求項１０記載のハイブリッド車両の制御装置。
【請求項１２】
前記発電制御を中断してからの経過時間を計時するタイマ手段と、
前記タイマ手段により計時された時間が第２の所定時間に達しても、回転電機回転速度センサにより検出される前記回転電機の回転速度とエンジン回転速度センサにより検出される前記エンジンの回転速度との回転速度差が検出されない場合に、前記第１クラッチのスリップを強制的に発生させる強制スリップ制御を実行する強制スリップ手段と、を備えた、
ことを特徴とする請求項１ないし１１のいずれか記載のハイブリッド車両の制御装置。
【請求項１３】
前記強制スリップ手段は、前記回転電機制御手段に指令して、前記回転電機の回転速度を前記エンジンの回転速度よりも低い回転速度になるように制御することで、前記強制スリップ制御を実行する、
ことを特徴とする請求項１２記載のハイブリッド車両の制御装置。
【請求項１４】
前記エンジンの回転速度を制御するエンジン制御手段を備え、
前記強制スリップ手段は、前記エンジン制御手段に指令して、前記エンジンの回転速度を前記回転電機の回転速度よりも高い回転速度になるように制御することで、前記強制スリップ制御を実行する、
ことを特徴とする請求項１２または１３記載のハイブリッド車両の制御装置。
【請求項１５】
前記回転電機制御手段は、前記第１クラッチのスリップ開始までのアクセル開度が大きいほど、前記目標の回転速度を低下させる勾配が大きくなるように前記回転速度制御を実行する、
ことを特徴とする請求項１ないし１４のいずれか記載のハイブリッド車両の制御装置。
【国際調査報告】
2014051107.tif 000012
2014051107.tif 000013
2014051107.tif 000014
2014051107.tif 000015